(57)【要約】  本発明は周波数割り当てユーザーアクセスＬＡＮのシステム及びアップリンク、ダウンリンク伝送方法を開示している。周波数割り当てユーザーアクセスＬＡＮのシステムは情報処理設備と、交換機と、複数の第一変調器と、ブロードバンド高周波合成器と、ダウンリンク増幅器と、複数の幹線スプリッタと、複数の支線スプリッタと、複数のユーザー端末ディジタル高周波復調器と、複数のユーザー端末変調器と、複数の支線ミキサーと、複数の幹線ミキサーと、アップリンク増幅器と、ブロードバンド高周波分配器と、複数の第一復調器とを含む。本発明のシステムは、ユーザーごとに専用通信チャンネルを提供するビジーと暇な状態の影響を受けない高透明的な新たな通信資源配置技術と、メイン幹線で途中無中継増幅のパッシブ運行を実現した高周波寛帯域の高速率大容量のユーザーアクセスＬＡＮの物理線路構造とを採用することで、シームレスな通信資源利用を実現して、大衆の操作習慣に適用し、学びと使用が易いし、普及応用に役立つ操作と通信サービス技術を創立した。
2009510849.tif 000002
【特許請求の範囲】
【請求項１】
社会幹線網の入力を処理して複数のユーザーアドレスコードを持つダウンリンク集成ディジタルベースバンド信号を生成する情報処理設備と、
上記情報処理設備によって生成した上記ダウンリンク集成ディジタルベースバンド信号を接収し、複数のユーザーアドレスコードを持つ多路ダウンリンク多路ディジタルベースバンド信号を生成する交換機と、
それぞれ異なった周波数に作動し、上記複数のユーザーアドレスコード中の一つに含んでいたヘッダーに基づいて上記交換機の生成した多路ダウンリンクディジタルベースバンド信号中の対応される一つを接収し、接収した該ダウンリンク多路ディジタルベースバンド信号を変調して、一路の対応周波数のダウンリンク高周波複合信号を生成する複数の第一変調器と、
上記複数の第一変調器によって生成した複数のダウンリンク高周波複合信号を合成して一路の第一ダウンリンク高周波ブロードバンド複合信号を生成するブロードバンド高周波合成器と、
上記ブロードバンド高周波合成器から接収した上記第一ダウンリンク高周波ブロードバンド複合信号を設計レベルに増幅して、増幅した第一ダウンリンク高周波ブロードバンド複合信号を生成するためのダウンリンク増幅器と、
メインネットワークセグメントの周波数帯域の高低によって等級分け及びカスケードして、上記メインネットワークセグメントによって上記ダウンリンク増幅器からの上記増幅した第一ダウンリンク高周波ブロードバンド複合信号を接収し、上記増幅した第一ダウンリンク高周波ブロードバンド複合信号を周波数高低によって複数のメインネットワークセグメントの第二ダウンリンク高周波ブロードバンド複合信号に分岐し、上記複数のメインネットワークセグメントに対応される周波数帯域はそれぞれ異なるし、上記複数のサブネットワークセグメントに対応される周波数帯域はそれぞれ異なるし、上記複数のメインネットワークセグメントはそれぞれ対応される複数のサブネットワークセグメントを含んでいた複数の幹線スプリッタと、
各幹線スプリッタに対応してグループに分けて、各幹線スプリッタに対応される各グループが上記メインネットワークセグメント範囲内の上記複数のサブネットワークセグメントの周波数帯域の高低によって等級分け及びカスケードし、上記複数のサブネットワークセグメント中の一つにそれぞれ対応して上記一つのサブネットワークセグメントの第二ダウンリンク高周波ブロードバンド複合信号中の一つを接収して上記一つのサブネットワークセグメントの多路第三ダウンリンク高周波ブロードバンド複合信号を生成する複数の支線スプリッタと、
それぞれ上記複数の支線スプリッタ中の対応する一つから対応するサブネットワークセグメント内の多路第三ダウンリンク高周波ブロードバンド複合信号を接収し、上記ユーザーアドレスコードによって上記ユーザーアドレスコードに対応する周波数を備えている上記該サブネットワークセグメント内の多路第三ダウンリンク高周波ブロードバンド複合信号中の一路を選んで、上記周波数に対応するダウンリンクディジタルベースバンド信号に復調する複数のユーザー端末ディジタル高周波復調器と、
それぞれユーザーの命令によってアドレスコードヘッダーを持っている複数のディジタルベースバンド信号中の対応する一つを接収し、それをサブネットワークセグメント周波数中の一つに対応されるアップリンク高周波複合信号に変調する複数のユーザー端末変調器と、
上記メインネットワークセグメントに対応してグループに分けて、上記メインネットワークセグメント範囲内の上記複数のサブネットワークセグメントの周波数帯域の高低によって等級分け及びカスケードし、それぞれが低周波数から高周波数まで次々に上記複数のユーザー端末変調器中の対応されるユーザー端末変調器から接収される上記複数のアップリンク高周波複合信号及び上記グループ内の隣り合う下級支線ミキサーから接収されるアップリンク高周波複合信号を混合するし、相応した周波数の低い各下級サブネットワークセグメントを対応して覆う第一アップリンク高周波ブロードバンド複合信号を生成する複数の支線ミキサーと、
メインネットワークセグメントの周波数帯域の高低によって等級分け及びカスケードして、対応されるメインネットワークセグメントの支線ミキサーグループ中の隣り合う支線ミキサーから接収される第一アップリンク高周波ブロードバンド複合信号と隣り合うメインネットワークセグメントの周波数帯域の低い幹線ミキサーからのアップリンク高周波ブロードバンド複合信号を混合するし、相応した周波数帯域の低い各下級メインネットワークセグメントを対応して覆う第二アップリンク高周波ブロードバンド複合信号を生成する複数の幹線ミキサーと、
隣り合う上記幹線ミキサーから接収される第二アップリンク高周波ブロードバンド複合信号を増幅して、増幅したアップリンク集成高周波ブロードバンド複合信号を生成するためのアップリンク増幅器と、
上記増幅したアップリンク集成高周波ブロードバンド複合信号を接収して、上記増幅したアップリンク集成高周波ブロードバンド複合信号を多路アップリンク高周波ブロードバンド複合信号に割り当てるブロードバンド高周波分配器と、
それぞれ上記多路アップリンク高周波ブロードバンド複合信号中のユーザー端末周波数と対応される一路を接収して、ユーザーアドレスコードを持っているのに対応される一つのディジタル復調ベースバンド信号を復調生成するし、生成した上記ディジタル復調ベースバンド信号を上記交換機を経て上記情報処理設備に提供する複数の第一復調器とを含んで、
その中で上記情報処理設備は接収した上記ディジタル復調ベースバンド信号中のアドレスコードのヘッダーによって社会幹線網出力を選択したり上記交換機に向かって複数のユーザーＤＴＭＦアドレスコードのヘッダーを持っているダウンリンク集成ディジタルベースバンド信号を提供する周波数割り当てユーザーアクセスＬＡＮのシステム。
【請求項２】
上記アドレスコードはＤＴＭＦアドレスコードであり、ヘッダーとテイルを含んでいた請求項１記載の周波数割り当てユーザーアクセスＬＡＮのシステム。
【請求項３】
上記複数の第一変調器の全ては、交換機からの複数のユーザーアドレスコードを持っている対応一路のダウンリンク多路ベースバンド信号を接収してそれをアナログベースバンド信号に転換するためのディジタルアナログ転換回路と、
ディジタルアナログ転換回路からのアナログベースバンド信号を接収して、ＤＴＭＦアドレスコードのヘッダーによって上記アナログベースバンド信号に対してデコーディングして、両グループの二進法ＤＴＭＦコード信号を出力するＤＴＭＦデコーディング回路と、
上記両グループの二進法ＤＴＭＦコード信号を接収して、それを十進法ＤＴＭＦコード信号にデコーディングするＤＴＭＦ復号回路と、
上記十進法ＤＴＭＦコード信号を接収して、上記十進法ＤＴＭＦコード信号の中に上記ヘッダーが含んでいた時、電源制御電流を出力するし、上記十進法ＤＴＭＦコード信号の中に上記テイルが含んでいた時、上記電源制御電流を出力しないＤＴＭＦコーディングスイッチング回路と、
上記交換機からの複数のユーザーアドレスコードを持っている対応一路のダウンリンク多路ディジタルベースバンド信号を接収して、上記電源制御電流を接収した時上記一路のダウンリンク多路ディジタルベースバンド信号を変調して、固有周波数のダウンリンク高周波複合信号を出力するディジタル高周波変調部分と、
上記ディジタル高周波変調部分から上記固有周波数のダウンリンク高周波複合信号を接収して、それをユーザーアドレスコードに対応された周波数のダウンリンク高周波複合信号に転換させる周波数転換部分とを含んでいた請求項２記載の周波数割り当てユーザーアクセスＬＡＮのシステム。
【請求項４】
上記ＤＴＭＦコーディングスイッチング回路は、上記十進法ＤＴＭＦコード信号中のヘッダーを接収して電源制御電流を発生するパワーオンアドレスコーディング組み合わせ回路部分と、上記十進法ＤＴＭＦコード信号中のテイルを接収してパワーオフ信号を発生して上記パワーオンアドレスコーディング組み合わせ回路部分がオフするように制御するパワーオフコーディング回路部分とを含んでいた請求項３記載の周波数割り当てユーザーアクセスＬＡＮのシステム。
【請求項５】
上記幹線スプリッタと上記支線スプリッタは全部２×ｎスプリッタであり、ｎは１より大きい正整数である請求項１乃至４の何れか１項記載の周波数割り当てユーザーアクセスＬＡＮのシステム。
【請求項６】
上記幹線ミキサーと上記支線ミキサーは全部２×ｎミキサーであり、ｎは１より大きい正整数である請求項１乃至４の何れか１項記載の周波数割り当てユーザーアクセスＬＡＮのシステム。
【請求項７】
上記第一変調器はディジタル高周波変調器で、上記第一復調器はディジタル高周波復調器である請求項１乃至４の何れか１項記載の周波数割り当てユーザーアクセスＬＡＮのシステム。
【請求項８】
上記複数のサブネットワークセグメントの周波数中の対応される一つ周波数以外の周波数を制限するように、上記複数の幹線スプリッタはそれぞれ隣り合う支線スプリッタとの間に帯域フィルターを設置する請求項１乃至４の何れか１項記載の周波数割り当てユーザーアクセスＬＡＮのシステム。
【請求項９】
社会幹線網の入力を処理して複数のユーザーアドレスコードを持つダウンリンク集成ディジタルベースバンド信号を生成する第一ステップと、
上記第一ステップで生成した上記ダウンリンク集成ディジタルベースバンド信号によって、複数のユーザーアドレスコードを持つ多路ダウンリンク多路ディジタルベースバンド信号を生成する第二ステップと、
上記複数のユーザーアドレスコード中の一つに含んでいたヘッダーに基づいて上記第二ステップで生成した多路ダウンリンク多路ディジタルベースバンド信号中の対応される一つを接収することに対応して、接収した該ダウンリンク多路ディジタルベースバンド信号を変調して、一路の対応周波数のダウンリンク高周波複合信号を生成する第三ステップと、
上記第三ステップで生成した複数のダウンリンク高周波複合信号を合成して一路の第一ダウンリンク高周波ブロードバンド複合信号を生成する第四ステップと、
上記第一ダウンリンク高周波ブロードバンド複合信号を設計レベルに増幅して、増幅した第一ダウンリンク高周波ブロードバンド複合信号を生成する第五ステップと、
メインネットワークセグメントによって上記増幅した第一ダウンリンク高周波ブロードバンド複合信号を接収し、上記増幅した第一ダウンリンク高周波ブロードバンド複合信号を周波数帯域高低によって複数のメインネットワークセグメントの第二ダウンリンク高周波ブロードバンド複合信号に分岐し、上記複数のメインネットワークセグメントはそれぞれ対応される複数のサブネットワークセグメントを含んで、上記複数のメインネットワークセグメントに対応される周波数帯域はそれぞれ異なるし、上記複数のサブネットワークセグメントに対応される周波数帯域はそれぞれ異なる第六ステップと、
上記複数のサブネットワークセグメント中の一つに対応して上記一つのサブネットワークセグメントの第二ダウンリンク高周波ブロードバンド複合信号中の一つを接収して上記一つのサブネットワークセグメントの多路第三ダウンリンク高周波ブロードバンド複合信号を生成する第七ステップと、
対応するサブネットワークセグメント内の多路第三ダウンリンク高周波ブロードバンド複合信号を接収し、上記ユーザーアドレスコードによって上記ユーザーアドレスコードに対応する周波数を備えている上記該サブネットワークセグメント内の多路第三ダウンリンク高周波ブロードバンド複合信号中の一路を選んで、上記周波数に対応するダウンリンクディジタルベースバンド信号に復調する第八ステップとを含む周波数割り当てユーザーアクセスＬＡＮ中のダウンリンク伝送方法。
【請求項１０】
上記アドレスコードはＤＴＭＦアドレスコードであり、ヘッダーとテイルを含んでいた請求項９記載の周波数割り当てユーザーアクセスＬＡＮ中のダウンリンク伝送方法。
【請求項１１】
上記第三ステップは、
第二ステップからの複数のユーザーアドレスコードを持っている対応一路のダウンリンク多路ベースバンド信号を接収してそれをアナログベースバンド信号に転換することと、
上記アナログベースバンド信号を接収して、ＤＴＭＦアドレスコードのヘッダーによって上記アナログベースバンド信号に対してデコーディングして、両グループの二進法ＤＴＭＦコード信号を出力することと、
上記両グループの二進法ＤＴＭＦコード信号を十進法ＤＴＭＦコード信号にデコーディングすることと、
上記十進法ＤＴＭＦコード信号を接収して、上記十進法ＤＴＭＦコード信号の中に上記ヘッダーが含んでいた時、電源制御電流を出力するし、上記十進法ＤＴＭＦコード信号の中に上記テイルが含んでいた時、上記電源制御電流を出力しないことと、
上記複数のユーザーアドレスコードを持っている対応一路のダウンリンク多路ディジタルベースバンド信号を接収して、上記電源制御電流を接収した時上記一路のダウンリンク多路ディジタルベースバンド信号を変調して、固有周波数のダウンリンク高周波複合信号を出力することと、
上記固有周波数のダウンリンク高周波複合信号をユーザーアドレスコードに対応された周波数のダウンリンク高周波複合信号に転換させて出力することとを含む請求項１０記載の周波数割り当てユーザーアクセスＬＡＮ中のダウンリンク伝送方法。
【請求項１２】
上記第六ステップで、２×ｎスプリッタを採用して上記増幅した第一ダウンリンク高周波ブロードバンド複合信号を分岐するし、ｎは１より大きい正整数である請求項９乃至１１の何れか１項記載の周波数割り当てユーザーアクセスＬＡＮ中のダウンリンク伝送方法。
【請求項１３】
変調はディジタル高周波変調方式を採用する請求項９乃至１１の何れか１項記載の周波数割り当てユーザーアクセスＬＡＮ中のダウンリンク伝送方法。
【請求項１４】
複数のユーザー端末変調器から複数のユーザー命令を接収する第一ステップと、
上記複数のユーザー命令によって、アドレスコードヘッダーを持っている複数のディジタルベースバンド信号中の各ユーザー命令に対応する相応ディジタルベースバンド信号接収し、それを上記複数のユーザー端末変調器のサブネットワークセグメント周波数中に対応される複数のアップリンク高周波複合信号に変調するが、上記複数のサブネットワークセグメントは複数のメインネットワークセグメントを構成し、上記複数のメインネットワークセグメントに対応される周波数帯域はそれぞれ異なるし、上記複数のサブネットワークセグメントに対応される周波数帯域はそれぞれ異なるし、各メインネットワークセグメントの周波数帯域は含んでいたサブネットワークセグメントの周波数帯域を覆う第二ステップと、
上記メインネットワークセグメントに対応してグループに分けて上記メインネットワークセグメント範囲内の上記複数のサブネットワークセグメントの周波数高低によって等級分け及びカスケードした複数の支線ミキサーを採用して、低周波数から高周波数まで次々に上記複数のユーザー端末変調器中の対応されるユーザー端末変調器から接収される上記複数のアップリンク高周波複合信号及び上記グループ内の隣り合う下級支線ミキサーから接収されるアップリンク高周波複合信号を混合するし、相応した周波数の低い各下級サブネットワークセグメントを対応して覆う第一アップリンク高周波ブロードバンド複合信号を生成する第三ステップと、
メインネットワークセグメントの周波数高低によって等級分け及びカスケードした複数の幹線ミキサーを採用して、対応されるメインネットワークセグメントの支線ミキサーグループ中の隣り合う支線ミキサーから接収される第一アップリンク高周波ブロードバンド複合信号と隣り合うメインネットワークセグメントの周波数の低い幹線ミキサーからのアップリンク高周波ブロードバンド複合信号を混合するし、相応した周波数の低い各下級メインネットワークセグメントを対応して覆う第二アップリンク高周波ブロードバンド複合信号を生成する第四ステップと、
上記複数の幹線ミキサー中のネットワークセグメント周波数が最も高い幹線ミキサー中から接収される第二アップリンク高周波ブロードバンド複合信号を増幅して、増幅したアップリンク集成高周波ブロードバンド複合信号を生成する第五ステップと、
上記増幅したアップリンク集成高周波ブロードバンド複合信号を多路アップリンク高周波ブロードバンド複合信号に割り当てる第六ステップと、
複数の復調器を採用して、上記多路アップリンク高周波ブロードバンド複合信号中のユーザー端末周波数と対応される一路をそれぞれ接収して、ユーザーアドレスコードを持っているのに対応される多路ディジタル復調ベースバンド信号を復調生成する第七ステップと、
生成した上記多路ディジタル復調ベースバンド信号を接収して、接収した上記多路ディジタル復調ベースバンド信号中のアドレスコードのヘッダーによって複数のユーザーＤＴＭＦアドレスコードのヘッダーを持っている集成ディジタルベースバンド信号を出力する第八ステップとを含む周波数割り当てユーザーアクセスＬＡＮ中のアップリンク伝送方法。
【請求項１５】
上記各幹線ミキサーと上記各支線ミキサーは全部２×ｎミキサーであり、ｎは１より大きい正整数である請求項１４記載の周波数割り当てユーザーアクセスＬＡＮ中のアップリンク伝送方法。
【請求項１６】
上記復調器はディジタル高周波復調器である請求項１４又は１５記載の周波数割り当てユーザーアクセスＬＡＮ中のアップリンク伝送方法。
【発明の詳細な説明】
【技術分野】
【０００１】
本発明はユーザーアクセスＬＡＮの分野に関し、特にディジタル情報総合応用サービスの有線通信の周波数割り当てユーザーアクセスＬＡＮのシステム及びアップリンク・ダウンリンク伝送方法に関する。
【背景技術】
【０００２】
現有の放送、電信、インターネット、公衆情報サービスネットなどの幹線網のユーザーアクセスＬＡＮは、皆それぞれ独立的にネットを構築する伝統の技術構造を採用し、独立的にユーザー端末に各自の通信サービスの応用体系を設置し、採用したサービス方式は初期に少数人に応用される科学演算と軍事応用から発展して来たのである。それには以下のような欠陥がある：ユーザー端末の操作が複雑で技術難度が高く、通信資源利用の透明性がとても低く、ビジーと暇な状態で通信品質の差が大きく、幹線通信ネットと機能、任務の分業が明確ではない。従って、各種データ通信システムがディジタル情報技術の知能  （高速のロジック演算）、伝送（高速率大容量通信）、保存（高速大容量の密集データ情報のアクセス）の優位性を充分に発揮できない。さらに、各種通信サービス体系とサービス標準を混乱させ、投資を重複し、運行効率が低く、コストが高い。現在のユーザーアクセスＬＡＮは大量の総合配線を利用し、環境の圧力が大きいことをもたらす上に、全面的な大衆向きの普及及び応用が難しく、時代に伴う転換を実現し難い。これらはすでに有線通信がまもなく移動通信に自分がかつて持っていた社会の主要な基礎通信としての地位を奪われる不利な局面をもたらして、それはすでに現在社会のユーザー群の高度密集、情報サービスの通信量が急速に成長、機能性の要求が多い、全社会的に時代のモデルチェンジに直面するなどの発展の需要には適用できず、すでにディジタル化社会の発展を大きく制約している。
【発明の開示】
【発明が解決しようとする課題】
【０００３】
本発明の目的は、まさに以上のような現有構造と技術応用の問題に対して、ディジタル情報総合性応用サービスのデータ有線通信の周波数割り当てユーザーアクセスＬＡＮのネットワーク構造とサービス応用通信体系を提供することである。本発明では、ユーザーごとに専用通信チャンネルを提供するビジーと暇な状態の影響を受けない高透明的な新たな通信資源配置技術と、メイン幹線で途中無中継増幅のパッシブ運行を実現した高周波寛帯域の高速率大容量のユーザーアクセスＬＡＮの物理線路構造とを採用することで、シームレスな通信資源利用を実現して、大衆の操作習慣に適用し、学びと使用が易いし、普及応用に役立つ操作と通信サービス技術を創立した。したがって、ワンネットで総合的、高効率的に放送、電信、インターネット、公衆情報サービスネットなどの幹線網のデータ通信アクセスを支持し、本ネット（区）内での多機能通信を支持する。ディジタル情報技術の知能（高速ロジック演算）、伝送（高速率大容量通信）、保存（高速大容量の密集情報アクセス）の優勢をより良く発揮できる。幹線網とユーザーアクセスＬＡＮの機能と任務を分離させて、高効率的にデータ通信運行パターンを実現する共に現有のＴＣＰ／ＩＰ技術構造及びアナログ通信システムをコンパチブルできる。総合コストが低い、施工とメンテナンスが容易、管理が便利、ユーザー端末で容量アップするにも線路の施工を不要、総合配線が極めて少ない、技術のアップグレードにも適応できる、ユーザーアクセスＬＡＮ設備の工場化大量生産を実現できる、さらに放送及び電信等システムの時代的モデル転換を有効・低コスト的に実施することができる等の長所がある。本発明はユーザーの高度密集、情報通信量の大きい社会現状に適し、大衆化普及応用を有効に支持できるので、ディジタル化社会建設の速い発展に役立つ。
【課題を解決するための手段】
【０００４】
上記の目的を達成するために、本発明の周波数割り当てユーザーアクセスＬＡＮのシステムは、社会幹線網の入力を処理して複数のユーザーアドレスコードを持つダウンリンク集成ディジタルベースバンド信号を生成する情報処理設備と、上記情報処理設備によって生成した上記ダウンリンク集成ディジタルベースバンド信号を接収し、複数のユーザーアドレスコードを持つ多路ダウンリンク多路ディジタルベースバンド信号を生成する交換機と、それぞれ異なった周波数に作動し、上記複数のユーザーアドレスコード中の一つに含んでいたヘッダーに基づいて上記交換機の生成した多路ダウンリンクディジタルベースバンド信号中の対応される一つを接収し、接収した該ダウンリンク多路ディジタルベースバンド信号を変調して、一路の対応周波数のダウンリンク高周波複合信号を生成する複数の第一変調器と、上記複数の第一変調器によって生成した複数のダウンリンク高周波複合信号を合成して一路の第一ダウンリンク高周波ブロードバンド複合信号を生成するブロードバンド高周波合成器と、上記ブロードバンド高周波合成器から接収した上記第一ダウンリンク高周波ブロードバンド複合信号を設計レベルに増幅して、増幅した第一ダウンリンク高周波ブロードバンド複合信号を生成するためのダウンリンク増幅器と、メインネットワークセグメントの周波数帯域の高低によって等級分け及びカスケードして、上記メインネットワークセグメントによって上記ダウンリンク増幅器からの上記増幅した第一ダウンリンク高周波ブロードバンド複合信号を接収し、上記増幅した第一ダウンリンク高周波ブロードバンド複合信号を周波数高低によって複数のメインネットワークセグメントの第二ダウンリンク高周波ブロードバンド複合信号に分岐し、上記複数のメインネットワークセグメントに対応される周波数帯域はそれぞれ異なるし、上記複数のサブネットワークセグメントに対応される周波数帯域はそれぞれ異なるし、上記複数のメインネットワークセグメントはそれぞれ対応される複数のサブネットワークセグメントを含んでいた複数の幹線スプリッタと、各幹線スプリッタに対応してグループに分けて、各幹線スプリッタに対応される各グループが上記メインネットワークセグメント範囲内の上記複数のサブネットワークセグメントの周波数帯域の高低によって等級分け及びカスケードし、上記複数のサブネットワークセグメント中の一つにそれぞれ対応して上記一つのサブネットワークセグメントの第二ダウンリンク高周波ブロードバンド複合信号中の一つを接収して上記一つのサブネットワークセグメントの多路第三ダウンリンク高周波ブロードバンド複合信号を生成する複数の支線スプリッタと、それぞれ上記複数の支線スプリッタ中の対応する一つから対応するサブネットワークセグメント内の多路第三ダウンリンク高周波ブロードバンド複合信号を接収し、上記ユーザーアドレスコードによって上記ユーザーアドレスコードに対応する周波数を備えている上記該サブネットワークセグメント内の多路第三ダウンリンク高周波ブロードバンド複合信号中の一路を選んで、上記周波数に対応するダウンリンクディジタルベースバンド信号に復調する複数のユーザー端末ディジタル高周波復調器と、それぞれユーザーの命令によってアドレスコードヘッダーを持っている複数のディジタルベースバンド信号中の対応する一つを接収し、それをサブネットワークセグメント周波数中の一つに対応されるアップリンク高周波複合信号に変調する複数のユーザー端末変調器と、上記メインネットワークセグメントに対応してグループに分けて、上記メインネットワークセグメント範囲内の上記複数のサブネットワークセグメントの周波数帯域の高低によって等級分け及びカスケードし、それぞれが低周波数から高周波まで次々に上記複数のユーザー端末変調器中の対応されるユーザー端末変調器から接収される上記複数のアップリンク高周波複合信号及び上記グループ内の隣り合う下級支線ミキサーから接収されるアップリンク高周波複合信号を混合するし、相応した周波数の低い各下級サブネットワークセグメントを対応して覆う第一アップリンク高周波ブロードバンド複合信号を生成する複数の支線ミキサーと、メインネットワークセグメントの周波数帯域の高低によって等級分け及びカスケードして、対応されるメインネットワークセグメントの支線ミキサーグループ中の隣り合う支線ミキサーから接収される第一アップリンク高周波ブロードバンド複合信号と隣り合うメインネットワークセグメントの周波数帯域の低い幹線ミキサーからのアップリンク高周波ブロードバンド複合信号を混合するし、相応した周波数帯域の低い各下級メインネットワークセグメントを対応して覆う第二アップリンク高周波ブロードバンド複合信号を生成する複数の幹線ミキサーと、隣り合う上記幹線ミキサーから接収される第二アップリンク高周波ブロードバンド複合信号を増幅して、増幅したアップリンク集成高周波ブロードバンド複合信号を生成するためのアップリンク増幅器と、上記増幅したアップリンク集成高周波ブロードバンド複合信号を接収して、上記増幅したアップリンク集成高周波ブロードバンド複合信号を多路アップリンク高周波ブロードバンド複合信号に割り当てるブロードバンド高周波分配器と、それぞれ上記多路アップリンク高周波ブロードバンド複合信号中のユーザー端末周波数と対応される一路を接収して、ユーザーアドレスコードを持っているのに対応される一つのディジタル復調ベースバンド信号を復調生成するし、生成した上記ディジタル復調ベースバンド信号を上記交換機を経て上記情報処理設備に提供する複数の第一復調器とを含んで、その中で上記情報処理設備は接収した上記ディジタル復調ベースバンド信号中のアドレスコードのヘッダーによって社会幹線網出力を選択したり上記交換機に向かって複数のユーザーＤＴＭＦアドレスコードのヘッダーを持っているダウンリンク集成ディジタルベースバンド信号を提供する。
【０００５】
なお、本発明の周波数割り当てユーザーアクセスＬＡＮ中のダウンリンク伝送方法は、社会幹線網の入力を処理して複数のユーザーアドレスコードを持つダウンリンク集成ディジタルベースバンド信号を生成する第一ステップと、上記第一ステップで生成した上記ダウンリンク集成ディジタルベースバンド信号によって、複数のユーザーアドレスコードを持つ多路ダウンリンク多路ディジタルベースバンド信号を生成する第二ステップと、上記複数のユーザーアドレスコード中の一つに含んでいたヘッダーに基づいて上記第二ステップで生成した多路ダウンリンク多路ディジタルベースバンド信号中の対応される一つを接収することに対応して、接収した該ダウンリンク多路ディジタルベースバンド信号を変調して、一路の対応周波数のダウンリンク高周波複合信号を生成する第三ステップと、上記第三ステップで生成した複数のダウンリンク高周波複合信号を合成して一路の第一ダウンリンク高周波ブロードバンド複合信号を生成する第四ステップと、上記第一ダウンリンク高周波ブロードバンド複合信号を設計レベルに増幅して、増幅した第一ダウンリンク高周波ブロードバンド複合信号を生成する第五ステップと、メインネットワークセグメントによって上記増幅した第一ダウンリンク高周波ブロードバンド複合信号を接収し、上記増幅した第一ダウンリンク高周波ブロードバンド複合信号を周波数帯域高低によって複数のメインネットワークセグメントの第二ダウンリンク高周波ブロードバンド複合信号に分岐し、上記複数のメインネットワークセグメントはそれぞれ対応される複数のサブネットワークセグメントを含んで、上記複数のメインネットワークセグメントに対応される周波数帯域はそれぞれ異なるし、上記複数のサブネットワークセグメントに対応される周波数帯域はそれぞれ異なる第六ステップと、上記複数のサブネットワークセグメント中の一つに対応して上記一つのサブネットワークセグメントの第二ダウンリンク高周波ブロードバンド複合信号中の一つを接収して上記一つのサブネットワークセグメントの多路第三ダウンリンク高周波ブロードバンド複合信号を生成する第七ステップと、対応するサブネットワークセグメント内の多路第三ダウンリンク高周波ブロードバンド複合信号を接収し、上記ユーザーアドレスコードによって上記ユーザーアドレスコードに対応する周波数を備えている上記該サブネットワークセグメント内の多路第三ダウンリンク高周波ブロードバンド複合信号中の一路を選んで、上記周波数に対応するダウンリンクディジタルベースバンド信号に復調する第八ステップとを含む。
【０００６】
なお、本発明の周波数割り当てユーザーアクセスＬＡＮ中のアップリンク伝送方法は、複数のユーザー端末変調器から複数のユーザー命令を接収する第一ステップと、上記複数のユーザー命令によって、アドレスコードヘッダーを持っている複数のディジタルベースバンド信号中の各ユーザー命令に対応する相応ディジタルベースバンド信号接収し、それを上記複数のユーザー端末変調器のサブネットワークセグメント周波数中に対応される複数のアップリンク高周波複合信号に変調するが、上記複数のサブネットワークセグメントは複数のメインネットワークセグメントを構成し、上記複数のメインネットワークセグメントに対応される周波数帯域はそれぞれ異なるし、上記複数のサブネットワークセグメントに対応される周波数帯域はそれぞれ異なるし、各メインネットワークセグメントの周波数帯域は含んでいたサブネットワークセグメントの周波数帯域を覆う第二ステップと、上記メインネットワークセグメントに対応してグループに分けて上記メインネットワークセグメント範囲内の上記複数のサブネットワークセグメントの周波数高低によって等級分け及びカスケードした複数の支線ミキサーを採用して、低周波数から高周波数まで次々に上記複数のユーザー端末変調器中の対応されるユーザー端末変調器から接収される上記複数のアップリンク高周波複合信号及び上記グループ内の隣り合う下級支線ミキサーから接収されるアップリンク高周波複合信号を混合するし、相応した周波数の低い各下級サブネットワークセグメントを対応して覆う第一アップリンク高周波ブロードバンド複合信号を生成する第三ステップと、メインネットワークセグメントの周波数高低によって等級分け及びカスケードした複数の幹線ミキサーを採用して、対応されるメインネットワークセグメントの支線ミキサーグループ中の隣り合う支線ミキサーから接収される第一アップリンク高周波ブロードバンド複合信号と隣り合うメインネットワークセグメントの周波数の低い幹線ミキサーからのアップリンク高周波ブロードバンド複合信号を混合するし、相応した周波数の低い各下級メインネットワークセグメントを対応して覆う第二アップリンク高周波ブロードバンド複合信号を生成する第四ステップと、上記複数の幹線ミキサー中のネットワークセグメント周波数が最も高い幹線ミキサー中から接収される第二アップリンク高周波ブロードバンド複合信号を増幅して、増幅したアップリンク集成高周波ブロードバンド複合信号を生成する第五ステップと、上記増幅したアップリンク集成高周波ブロードバンド複合信号を多路アップリンク高周波ブロードバンド複合信号に割り当てる第六ステップと、複数の復調器を採用して、上記多路アップリンク高周波ブロードバンド複合信号中のユーザー端末周波数と対応される一路をそれぞれ接収して、ユーザーアドレスコードを持っているのに対応される多路ディジタル復調ベースバンド信号を復調生成する第七ステップと、生成した上記多路ディジタル復調ベースバンド信号を接収して、接収した上記多路ディジタル復調ベースバンド信号中のアドレスコードのヘッダーによって複数のユーザーＤＴＭＦアドレスコードのヘッダーを持っている集成ディジタルベースバンド信号を出力する第八ステップとを含む。
【発明の効果】
【０００７】
本発明には下記の様な長所がある：
１、各種通信業界の現有ユーザーアクセスネットワークはシステムコストの中で大きい比重を占めていて、且つ各自独立的に設置してお互い適用しないので、その機能は現代社会の発展要求に遥かに遠い。本発明はユーザーアクセスネットワークで多いネットを一体化する通信サービスを実現し、アナログとディジタルのコンパチブルを支持し、現代社会の通信各業界の時代的モデルチェンジを支持でき、スムーズに移転でき、大幅に投資額を節約できる。
【０００８】
２、本発明のアドレスコード及び通信相互接続（協議）は放送、電信の幹線網に適用し、インターネットの協議の中で情報として伝送して、大衆化の応用習慣に適合し、学びと使用がやすくて、大衆化普及及び応用の為に開発設計されたものである。
【０００９】
３、本発明は多種の通信協議運行を支持して、特に放送、電信、電子行政、電子ビジネス等の業界のディジタル情報応用に適応し、業界のアップグレードや改造に役立つ。再アップグレードする際、主にサーバーの執行プログラムを変更するだけで、システムのアップグレードによるハードウエア設備の淘汰から発生する莫大な経済損失を避けることができる。
【００１０】
４、幹線網とユーザーネットの機能と任務を分離させることによって、幹線網の運行効率を大幅にアップすることができ、無駄な通信消費を大量に下げて、各業界の機能拡大に役立つ（コア技術を増加するだけで、ユーザーアクセスＬＡＮの投資改造を殆ど心配しない）。
【００１１】
５、社会中の各種業務は応用データベース（インタラクション設定も可能）を作って、幹線網に接続するだけですむ。
【００１２】
６、Ｕｓ１〜Ｕｓｎ信号はディジタル端末に接続して表示でき、あるいは信号をＤ／Ａ変換してから現有のアナログＴＶに接続して応用することが可能である。
【００１３】
７、アップリンク線路をユーザーに割り当てから余る容量は区内の安全防衛、テレビ監視、ユーザーのメーターの数字読み取り等に使用して、総合配線を完全に代替できる。
【発明を実施するための最良の形態】
【００１４】
以下、図面を参照して本発明の実施例を詳しく説明する。
【００１５】
図１は本発明実施例によるディジタル情報総合性通信サービス応用の周波数割り当てユーザーアクセスＬＡＮの回路原理ブロック図である。図１のように、本発明のディジタル情報総合性応用サービスの有線通信周波数割り当てユーザーアクセスＬＡＮは、ネットワークサーバーを採用することができる情報処理設備（図示していない）と、ネットワーク交換機（図示していない）と、データ通信の先端の高周波ディジタル変復調器Ｔ１、Ｔ２、Ｔ３、Ｔｎと、ダウンリンクネットワーク線路媒質Ｔｘ１、Ｔｘ２、Ｔｘ３、Ｔｘｎと、アップリンクネットワーク線路媒質Ｔｓ１、Ｔｓ２、Ｔｓ３、Ｔｓｎと、ダウンリンク幹線線路媒質Ｙｘと、アップリンク幹線線路媒質Ｙｓと、ダウンリンク支線線路媒質Ｙｘ１、Ｙｘ２、Ｙｘ３、Ｙｘｎと、アップリンク支線線路媒質Ｙｓ１、Ｙｓ２、Ｙｓ３、Ｙｓｎと、高周波ブロードバンド合成器Ｈと、高周波ブロードバンド分配器ＨＦと、ＣＡＴＶの器材と技術標準を採用するダウンリンク線路増幅器Ｄｘと、ＣＡＴＶの器材と技術標準を採用するアップリンク線路増幅器Ｄｙと、複数のダウンリンク幹線スプリッタＦｘ１、Ｆｘ２、Ｆｘ３、Ｆｘｎと、複数のダウンリンク支線スプリッタＦｘと、複数のアップリンク幹線ミキサーＦｓ１、Ｆｓ２、Ｆｓ３、Ｆｓｎと、複数のアップリンク支線ミキサーＦｓと、ユーザー端末ディジタル高周波復調器Ｔｊ１、Ｔｊ２、Ｔｊ３、Ｔｊｎと、異なるタイプのディジタル高周波変復調器を使用すると占める帯域幅も異なってなり、異なる通信速率のサービスを提供することができるユーザー端末ディジタル高周波変調器Ｔｄ１、Ｔｄ２、Ｔｄ３、Ｔｄｎと、通常７５Ω接地抵抗を採用する線路端末のインピーダンス・マッチングＲとを含んでいる。
【００１６】
信号の干渉を防止するため、ダウンリンクスプリッタ当たりの出力端とアップリンクミキサー当たりの入力端に皆バンドフィルタを加入する。その中心周波数は割り当てた周波数に対応して、つまり、ネット線路媒質の遮断周波数内の周波数スペクトルの範囲である。
【００１７】
図の中で、Ｗ１、Ｗ２、Ｗ３、Ｗｎはディジタルアップ・ダウンリンク双方向ベースバンド信号であり、Ｕｘ１、Ｕｘ２、Ｕｘ３、Ｕｘｎはユーザー端末ダウンリンクディジタルベースバンド信号であり、Ｕｓ１、Ｕｓ２、Ｕｓ３、Ｕｓｎはユーザー端末アップリンクディジタルベースバンド信号である。本発明の実施例によって、情報の容量を高めるため、これらのネットの線路媒質Ｔｘ１〜Ｔｘｎ、Ｔｓ１〜Ｔｓｎ、Ｙｘ、Ｙｓ、Ｙｘ１〜Ｙｘｎ、Ｙｓ１〜Ｙｓｎは高周波同軸ケーブルを使うことができる（例えば国産のＳＹＫＶ−７５−、ＳＹＷＶ−７５−、米国のＴＦＣ−Ｔ１０−５００、Ｔｒｉｌｇｙｍｃ＾２  ０．４４〜１．０、フィンランドのＮＯＫＩＡ−Ｓｍ３等シリーズの製品）。
【００１８】
図１に示したように、ユーザーアクセスネットに先端サーバーを設けて、ＬＡＮ幹線ポートを通ってネットワーク交換機と幹線網の例えば放送、電信、インターネット、公衆情報サービスなどを接続し、サーバーＬＡＮのユーザーポートはネットワーク交換機に接続して、ネットワーク交換機のユーザーポートはツイストペアケーブルを経て高周波ディジタル変復調器Ｔ１〜Ｔｎと接続し、ディジタルベースバンド信号Ｗ１〜Ｗｎを伝送する。ネットワーク交換機のユーザーポートを黙認の固定ユーザー識別状態（ＰＣユーザーは除いて）と設けて、先端サーバーの外メモリーは以下のように分ける。１、操作区、主にオペレーティングシステムとアプリケーションソフトのためにサービスする。２、公用情報のメモリー区、主に区内ユーザーの共有情報のためにサービスする。３、管理区、主に区内管理情報のためにサービスする。４、ユーザーの専用区、外メモリーの最大の応用区であり、ユーザーの数量とユーザーの申請レベルによってメモリー区をそれぞれ異なる容量の各ユーザー専用ファイル区に設置し、ユーザーごとに異なる８ビットのＤＴＭＦコードを設けて命名して、各ユーザーの専用通信アドレスコードとして、サーバーからユーザーに権限を授けて使用する。
【００１９】
サーバーを経て処理した後８ビットのＤＴＭＦ（Ｄｕａｌ  Ｔｏｎｅ  Ｍｕｌｔｉ  Ｆｒｅｑｕｅｎｃｙ）コードアドレスヘッダーを持っているダウンリンク情報は、ＬＡＮポートを経てネットワーク交換機の幹線ポートに接続して、ネットワーク交換機のユーザーポートはディジタルアップリンク・ダウンリンク双方向ベースバンド信号Ｗ１〜Ｗｎ中のダウンリンク信号を形成し、ツイストペアケーブルを経てそれぞれ高周波ディジタル変復調器Ｔ１〜Ｔｎのダウンリンク入力ポートに接続し、高周波ディジタル変復調器Ｔ１〜Ｔｎはそれぞれ指定な専有中心周波数と帯域幅で動作し、その動作は専用の区域内でそれぞれ唯一な８ビットのＤＴＭＦコードトリガー回路に制御されるし、対応のディジタル情報中にＤＴＭＦコードヘッダーを持っている信号が来た時だけ通電して動作することができるし、情報の伝送が完了した後テイルのＤＴＭＦトリガー信号の触発によって停電して動作を停止するし、それにより申請が授権されたユーザーごとに一つあるいは複数の専用周波数のダウンリンクチャンネルが独占することを確保する。そのダウンリンクベースバンドディジタル信号は高周波ディジタル変復調器Ｔ１〜Ｔｎを経て異なる周波数の多路高周波複合信号に変調されて、ネットワーク線路Ｔｘ１〜Ｔｘｎを経て高周波ブロードバンド合成器Ｈの入力ポートに接続して一路高周波ブロードバンド複合信号に合成し、出力ポートを経て高周波同軸ケーブルを用いて線路増幅器Ｄｘの入力ポートに接続し、増幅を通じて定格電界強度の高周波ブロードバンド複合信号を出力し、出力ポートを経てダウンリンク幹線Ｙｘに接続し、幹線ＹｘにはスプリッタＦｘ１〜Ｆｘｎが接続されて、指定な専用周波数帯域の各路ダウンリンク支線Ｙｘ１−Ｙｘｎに分け、その中で線路増幅器Ｄｘに近いのは高周波数帯域で作動し、その支線によって支持されるユーザー復調器の中心周波数は全て高周波数帯域内で授権及び割り当てるし、順次で最も遠い支線は中低周波数帯域で作動し、ダウンリンク高周波ブロードバンド複合信号はスプリッタＦｘを経て高周波同軸ケーブルを用いてユーザー高周波ディジタル復調器Ｔｊ１〜Ｔｊｎの入力ポートに接続し、高周波ディジタル復調器Ｔｊ１〜Ｔｊｎの各ユーザーの機能配置と動作中心周波数は高周波ディジタル変復調器Ｔ１〜Ｔｎとお互いに対等設置すべきで、高周波ディジタル復調器Ｔｊ１〜Ｔｊｎの周波数選択を経て本ユーザーの指定な専用周波数の高周波複合信号を選んで、復調を通じて出力ポートからそれぞれのディジタルベースバンド信号Ｕｘ１〜Ｕｘｎを出力し、これによってサーバーから各ユーザーへのダウンリンクデータ通信を構成する。
【００２０】
本発明の各ユーザーの各ユーザー専用の８ビットＤＴＭＦアドレスコードヘッダーを持っているアップリンクディジタルベースバンド信号Ｕｓ１〜Ｕｓｎはユーザーのディジタル高周波変調器Ｔｄ１〜Ｔｄｎの入力ポートをそれぞれ接続して、各路の異なる周波数の高周波複合信号に変調して、混合器Ｆｓを経てアップリンク支線Ｙｓ１〜Ｙｓｎに混合し、混合器Ｆｓ１〜Ｆｓｎを経て一路アップリンク高周波ブロードバンド複合信号を形成し、アップリンク幹線ＹＳを経て線路増幅器Ｄｙの入力ポートに接続するし、アップリンク幹線ＹＳとアップリンク支線Ｙｓ１〜Ｙｓｎの周波数帯域設置はダウンリンク幹線と原理は同じで、伝送方向は相反である。ディジタル高周波変調器Ｔｄ１〜Ｔｄｎの運行中心周波数及び機能配置は高周波ディジタル変復調器Ｔ１〜Ｔｎの復調周波数と対応して対等に設置し、線路増幅器Ｄｙを通じて定格信号電界強度に増幅して出力ポートを通じて高周波同軸ケーブルで高周波ブロードバンド分配器ＨＦの入力ポートに接続し、高周波ブロードバンド分配器ＨＦ出力ポートから出力した多路高周波ブロードバンド複合信号はネットワークの線路Ｔｓ１〜Ｔｓｎを経て高周波ディジタル変復調器Ｔ１〜Ｔｎのアップリンクディジタル復調器入力ポートに接続して、ディジタルアップリンク・ダウンリンク双方向ベースバンド信号Ｗ１〜Ｗｎ中のアップリンクの８ビットＤＴＭＦアドレスコードヘッダーを持っているディジタルベースバンド信号を周波数選択をして復調する。ツイストペアケーブルを経てネットワーク交換機の各ユーザーポートを接続し、ネットワーク交換機幹線ポートを経てサーバーＬＡＮポートを接続して情報をサーバーに与えて処理させてユーザーアクセスＬＡＮ内のアップリンクデータ通信伝送を構成する。
【００２１】
サーバーは幹線ネットワークインタフェースを通じて放送、電信、インターネット、公衆情報サービスネットなどの幹線網をぞれぞれ接続して、本ユーザーアクセスＬＡＮ内のすべてのユーザーが１組の電信幹線網中継通信サービスを共有しようにし、１個のインターネットドメイン名サービスを共有しようにし、サーバーのルーティング、切換え、ディジタル情報処理などの知能（高速ロジック演算）サービスを共有しようにする。上位の各データベース（別の案で申請する）、サイトから幹線を通じて本ネット内のユーザーの必要とする共有情報を高速大容量（パッケージ）で公共情報区にダウンロードしてネット内のユーザーが選択して使用するようにし、ネット内のユーザーが特需リクエストの予約またはリアルタイム情報を上位層の各種のデータベースを通じてユーザーの専用独占ストレージファイル区に高速でダウンロードしてユーザーが即時にまたはいつでも選択して使用させられる。サーバーはユーザーの対外通信の要請に基づいてパブリックネットワークの通信に必要とする幹線網を選択してリンクする。そして情報類型に基づいて各種幹線網の高速伝送に適するファイルパッケージと処理して集約化発送し、或は複数のユーザーが同様の情報を集中ダウンロード（一個のファイルに複数のアドレスヘッダーを加える）して、サーバーが幹線網とユーザーアクセスＬＡＮの機能を区分する任務を引き受けて、幹線網が主に高速集約通信遠隔伝送の優勢を引き受けて、できるだけ幹線網がユーザーネットに制約されることを減らして運行効率を高める。端末ユーザーが一つの自身の８ビットＤＴＭＦ（Ｄｕａｌ  Ｔｏｎｅ  Ｍｕｌｔｉｐｌｅ  Ｆｒｅｑｕｅｎｃｙ）コードを持っているリクエスト命令を発する時、サーバーは該ユーザーにサービスアプリケーション画面或は１０進法編制標示を持っている分類情報メニューをダウンロードして、ユーザーは１０進法編制標示をクリックするとかまたは発送してサーバーにサービスを要請することができる。サーバーは各類幹線中のルーティングと切換え及び呼ばれる方のユーザーアクセスＬＡＮ（現有のアナログネット含む）の先端交換機或はサーバーを識別するために、ユーザーがネットの内外に発送する情報は相手ユーザーの８ビットＤＴＭＦ（Ｄｕａｌ  Ｔｏｎｅ  Ｍｕｌｔｉｐｌｅ  Ｆｒｅｑｕｅｎｃｙ）アドレスコードヘッダーを持っている。ユーザーにダウンリンクに伝送する必要がある各種情報に全部このユーザーの８ビットＤＴＭＦアドレスコードのヘッダーを加えるべきで、各ユーザーが必要とするダウンリンクディジタルベースバンド信号Ｕｘ１〜Ｕｘｎを受け取るのを支持する。各種異なる機能分類のアップリンク或はダウンリンク情報は先端サーバーと端末が受け取った機能分類を区分して処理するのに便利ためにヘッダーコードに業務分類識別コードを加えなければならない。例えば，放送はＡＸＸ：スクリーンビデオはＡ０１、音楽言語（ただ聴く）はＡ０２、  ．．．．、電信はＢＸＸ：言語通話業務はＢ０１、ビデオ通話業務はＢ０２、  ．．．．、電子行政はＡＢＸＸ．．．．、公衆突発緊急ワーニング指揮はＣ１００、消防ワーニングはＣ１１９、災害気象ワーニングはＣ１２１、交通道路緊急提示はＣ１２０など。ユーザー端末��オーディオ回路に対応する制御回路を設置する、上記情報が全部来た時、パワーオフ状態で自動的にパワーオンすることができ、使用している時は自動的に緊急応用状態に換え切り、そして、自動的に適当な音量を維持して緊急告警の効果を保証する、ワーニングした後自動的にパワーオフ或は正常応用状態に換え切られる。ＤＸＸはテイルパワーオフトリガー専用コードである、例えばＤ０１はＴ１−Ｔｎのオフ、ＤＣは端末機パワーオフ、Ｄ９ＸＸは端末家庭用電器パワーオフなど。端末機にリモート家庭用電器制御ポートを設置してユーザーが電話で或は携帯電話で家の電器の運行を制御できるし、ユーザーが家の端末を叫んだ後、Ｂ９１を押すとエアコン、Ｂ９２を押すと電子レンジ、Ｂ９３を押すと電気釜、Ｂ９４を押すと灯、Ｂ９５を押すと安全防護など。本ネット内のＰＣユーザーはＴＣ／ＩＰ通信協議を執行してサーバーの各種支持を同様に享受する。
【００２２】
本発明のネットワークにおいてはアナログ変復調器を使ってアナログ通信をコンパチブルすることができ、例えば申請人が特許０３１２８２５２．０、０３２５４６７７．７に公開した有線電話市内電話ネットがネットを構成した市内電話通信、特許００２５９５４１．５、０３２２９０６８１．９に公開した有線放送などはディジタル通信とアナログ通信のコンパチブル運行に有利で放送、電信業界の時代転型の平穏的な過渡を支持する。
【００２３】
図１で示したように、本発明実施例のディジタル情報総合性通信サービス応用の周波数割り当てユーザーアクセスＬＡＮシステムで、情報処理設備（図示していない）で社会幹線網の入力を処理して複数のユーザーアドレスコードを持つダウンリンク集成ディジタルベースバンド信号を生成する。交換機（図示していない）は上記情報処理設備から生成した上記ダウンリンク集成ディジタルベースバンド信号を接収し、複数のユーザーアドレスコードを持つ多路ダウンリンク多路ディジタルベースバンド信号Ｗ１〜Ｗｎを生成する。各自が異なった周波数で工作する高周波ディジタル変復調器Ｔ１〜Ｔｎ中の変調器はそれぞれ複数のユーザーアドレスコード中の一つに含んでいたヘッダーに基づいて交換機の生成した多路ダウンリンクディジタルベースバンド信号Ｗ１〜Ｗｎ中の対応される一つを接収し、接収した該ダウンリンク多路ディジタルベースバンド信号を変調して、一路の対応周波数のダウンリンク高周波複合信号を生成する。各変調器によって生成した複数のダウンリンク高周波複合信号はＴｘ１〜Ｔｘｎと表す。高周波ブロードバンド合成器Ｈは上記複数の変調器から生成した複数のダウンリンク高周波ブロードバンド複合信号Ｔｘ１〜Ｔｘｎを合成して一路のダウンリンク高周波ブロードバンド複合信号を生成する。ダウンリンク増幅器Ｄｘはブロードバンド高周波合成器Ｈから接収したダウンリンク高周波ブロードバンド複合信号を設計レベルまで増幅して、増幅したダウンリンク高周波ブロードバンド複合信号を生成する。複数の幹線スプリッタＦｘ１〜Ｆｘｎはメインネットワークセグメントの周波数帯域の高低に応じて等級分け及びカスケードして、メインネットワークセグメントによってダウンリンク増幅器Ｄｘからの増幅したダウンリンク高周波ブロードバンド複合信号を接収し、増幅したダウンリンク高周波ブロードバンド複合信号を周波数高低に応じて複数のメインネットワークセグメントのダウンリンク高周波ブロードバンド複合信号に分岐する。ここに、複数のメインネットワークセグメントの対応する周波数帯域はそれぞれ異なるし、複数のサブネットワークセグメントの対応する周波数帯域はそれぞれ異なるし、複数のメインネットワークセグメントの中のすべては対応する複数のサブネットワークセグメントを含む。複数の支線スプリッタＦｘは各幹線スプリッタに対応してグループに分けて、各幹線スプリッタに対応した各組の支線スプリッタはメインネットワークセグメントの範囲内の複数のサブネットワークセグメントの周波数帯域の高低に応じて等級を分けてカスケードし、複数のサブネットワークセグメント中の一つにそれぞれ対応して一つのサブネットワークセグメントのダウンリンク高周波ブロードバンド複合信号中の一つを接収して一つのサブネットワークセグメントの多路第三ダウンリンク高周波ブロードバンド複合信号を生成する。本発明の周波数分配ユーザーアクセスＬＡＮシステムは複数のユーザーが同時に操作を行うことを許可して、各ユーザーは一つのユーザー端末ディジタル高周波復調器に対応する。これらの複数のユーザー端末ディジタル高周波復調器Ｔｊ１〜Ｔｊｎ中のすべては複数の支線スプリッタＦｘ中の対応する一つから対応するサブネットワークセグメント内の多路ダウンリンク高周波ブロードバンド複合信号を接収し、ユーザーアドレスコードによってこのユーザーアドレスコードに対応する周波数の該サブネットワークセグメント内の多路ダウンリンク高周波ブロードバンド複合信号中の一路を選択して上記周波数に対応するダウンリンクディジタルベースバンド信号に復調する。以上は本発明の周波数分配ユーザーアクセスＬＡＮシステムのダウンリンクの部分である。
【００２４】
アップリンクの過程の中で、各ユーザーに対応する複数のユーザー端末変調器Ｔｄ１〜Ｔｄｎ中のすべてはユーザーの命令によってアドレスコードヘッダーを持っている複数のディジタルベースバンド信号中の対応する一つを接収してそれをそれらの複数のユーザー端末変調器に対応するサブネットワークセグメント周波数中の一つのアップリンク高周波複合信号に変調する。複数の支線ミキサーＦｓは上記メインネットワークセグメントに対応してグループに分けて、メインネットワークセグメント範囲内の複数のサブネットワークセグメントの周波数帯域の高低によって等級分け及びカスケードし、それぞれが低周波数から高周波数まで次々に複数のユーザー端末変調器Ｔｄ１〜Ｔｄｎ中の対応されるユーザー端末変調器から接収される複数のアップリンク高周波複合信号及び相応グループ内の隣り合う下級支線ミキサーＦｓから接収されるアップリンク高周波複合信号を混合するし、そして相応する周波数が比較的に低い各下級サブネットワークセグメントを覆ったのに対応するアップリンク高周波複合信号を生成する。メインネットワークセグメントの周波数帯域の高低によって等級分け及びカスケードする複数の幹線ミキサーＦｓ１〜Ｆｓｎは、対応されるメインネットワークセグメントの支線ミキサーグループ中の隣り合う支線ミキサーから接収されるアップリンク高周波ブロードバンド複合信号と隣り合うメインネットワークセグメントの周波数帯域の低い幹線ミキサーからのアップリンク高周波ブロードバンド複合信号を混合するし、相応する周波数が比較的に低い各下級サブネットワークセグメントを覆うに対応してアップリンク高周波ブロードバンド複合信号を生成する。それから、アップリンク増幅器Ｄｙは隣り合う幹線ミキサーＦｓ１から接収したアップリンク高周波ブロードバンド複合信号を増幅して増幅したアップリンク集成高周波ブロードバンド複合信号を生成する。続いて、ブロードバンド高周波分配器ＨＦは増幅したアップリンク集成高周波ブロードバンド複合信号を接収して上記増幅したアップリンク集成高周波ブロードバンド複合信号を多路アップリンク高周波ブロードバンド複合信号Ｔｓ１〜Ｔｓｎと割り当てる。複数の高周波ディジタル変復調器Ｔ１〜Ｔｎ中の復調器中のすべては上記多路アップリンク高周波ブロードバンド複合信号Ｔｓ１〜Ｔｓｎ中のユーザー端末周波数と対応した一路を接収してユーザーアドレスコードを持っているのに対応される一つのディジタル復調ベースバンド信号を復調生成するし、生成したディジタル復調ベースバンド信号は交換機を経て情報処理設備に提供する。情報処理設備は接収したディジタル復調ベースバンド信号中のアドレスコードのヘッダーによって社会幹線網出力を選択したり上記交換機に向かって複数のユーザーＤＴＭＦアドレスコードのヘッダーを持っているダウンリンク集成ディジタルベースバンド信号を提供する。
【００２５】
次は図面と結合して本発明の周波数割り当てユーザーアクセスＬＡＮシステムのダウン・アップリンク操作を述べる。図２は本発明の周波数割り当てユーザーアクセスＬＡＮシステムのダウンリンク操作フローチャートである。図で示したように、ステップＳ２１０では、情報処理設備は社会幹線網の入力を処理して複数のユーザーアドレスコードを持つダウンリンク集成ディジタルベースバンド信号を生成する。ステップＳ２２０では、交換機は情報処理設備から来た複数のユーザーアドレスコードを持つダウンリンク集成ディジタルベースバンド信号を接収する、そしてそれによって複数のユーザーアドレスコードを持っている多路ダウンリンク多路ディジタルベースバンド信号Ｗ１〜Ｗｎを生成する。ステップＳ２３０では、各自が異なる周波数で工作する高周波ディジタル変復調器Ｔ１〜Ｔｎ中の変調器はそれぞれ複数のユーザーアドレスコード中の一つに含んでいたヘッダーに基づいて交換器から多路ダウンリンク多路ディジタルベースバンド信号Ｗ１〜Ｗｎ中の対応される一つを接収し、接収した該ダウンリンク多路ディジタルベースバンド信号を変調して、一路の対応周波数のダウンリンク高周波複合信号を生成する。各変調器によって生成した複数のダウンリンク高周波複合信号はＴｘ１〜Ｔｘｎと表す。続いて、ステップＳ２４０では、高周波ブロードバンドＨは上記複数の変調器から生成した複数のダウンリンク高周波複合信号を合成して、一路の第一ダウンリンク高周波ブロードバンド複合信号を生成する。ステップＳ２５０では、ダウンリンク増幅器Ｄｘはこの第一ダウンリンク高周波ブロードバンド複合信号を設計ベルまで増幅して、増幅した第一ダウンリンク高周波ブロードバンド複合信号生成する。ステップＳ２６０では、複数の幹線スプリッタＦｘ１〜Ｆｘｎはメインネットワークセグメントによってこの増幅した第一ダウンリンク高周波ブロードバンド複合信号を接収して、上記増幅した第一ダウンリンク高周波ブロードバンド複合信号を周波数帯域の高低に応じて複数のメインネットワークセグメントの第二ダウンリンク高周波ブロードバンド複合信号で分岐する、その中上記複数のメインネットワークセグメント中のすべては対応する複数のサブネットワークセグメントが含まれる、上記複数のメインネットワークセグメントが対応する周波数帯域はそれぞれ異なっているし、上記複数のサブネットワークセグメントが対応する周波数帯域はそれぞれ異なっている。ステップＳ２７０では、複数の幹線スプリッタＦｘ１〜Ｆｘｎ中のすべては上記複数のサブネットワークセグメント中の一つに対応して上記一つのサブネットワークセグメントの第二ダウンリンク高周波ブロードバンド複合信号中の一つを接収して上記一つのサブネットワークセグメントの多路第三ダウンリンク高周波ブロードバンド複合信号を生成する。最後、ステップＳ２８０では、各ユーザー端末ディジタル変調器Ｔｊ１〜Ｔｊｎは対応するサブネットワークセグメント内の多路第三ダウンリンク高周波ブロードバンド複合信号を接収し、上記ユーザーアドレスコードによって上記ユーザーアドレスコードに対応する周波数を備えている上記該サブネットワークセグメント内の多路第三ダウンリンク高周波ブロードバンド複合信号中の一路を選んで、上記周波数に対応するダウンリンクディジタルベースバンド信号と復調する。それで、本発明の周波数割り当てユーザーアクセスＬＡＮシステムのダウンリンク操作が終わり。
【００２６】
図３は本発明の周波数割り当てユーザーアクセスＬＡＮシステムのアップリンクリンク操作フローチャートである。図で示したように、ステップＳ３１０では、複数のユーザー端末変調器Ｔｄ１〜Ｔｄｎは複数のユーザー命令を接収する。ステップＳ３２０では、複数のユーザー端末変調器Ｔｄ１〜Ｔｄｎ中のすべては複数のユーザー命令によってアドレスコードヘッダーを持っている複数のディジタルベースバンド信号中の各ユーザー命令に対応する相応ディジタルベースバンド信号接収し、それを上記複数のユーザー端末変調器のサブネットワークセグメント周波数中に対応される複数のアップリンク高周波複合信号に変調するが、上記複数のサブネットワークセグメントは複数のメインネットワークセグメントを構成し、上記複数のメインネットワークセグメントに対応される周波数帯域はそれぞれ異なるし、上記複数のサブネットワークセグメントに対応される周波数帯域はそれぞれ異なるし、各メインネットワークセグメントの周波数帯域は含んでいたサブネットワークセグメントの周波数帯域を覆う。続いて、ステップＳ３３０では、上記メインネットワークセグメントに対応してグループに分けて上記メインネットワークセグメント範囲内の上記複数のサブネットワークセグメントの周波数高低によって等級分け及びカスケードした複数の支線ミキサーＦｓを採用して、低周波数から高周波まで次々に上記複数のユーザー端末変調器中の対応されるユーザー端末変調器から接収される上記複数のアップリンク高周波複合信号及び上記グループ内の隣り合う下級支線ミキサーから接収されるアップリンク高周波複合信号を混合し、相応した周波数の低い各下級サブネットワークセグメントを対応して覆うアップリンク高周波ブロードバンド複合信号を生成する。ステップＳ３４０では、メインネットワークセグメントの周波数高低によって等級分け及びカスケードした複数の幹線ミキサーＦｓ１〜Ｆｓｎを採用して、対応されるメインネットワークセグメントの支線ミキサーグループ中の隣り合う支線ミキサーにから接収された第一アップリンク高周波ブロードバンド複合信号と隣り合うメインネットワークセグメントの周波数の低い幹線ミキサーからのアップリンク高周波ブロードバンド複合信号を混合し、相応した周波数の低い各下級メインネットワークセグメントを対応して覆う第二アップリンク高周波ブロードバンド複合信号を生成する。それから、ステップＳ３５０では、アップリンク増幅器Ｄｙは上記複数の幹線ミキサーＦｓ１〜Ｆｓｎ中のネットワークセグメント周波数が最も高い幹線ミキサー中から接収されるアップリンク高周波ブロードバンド複合信号を増幅して、増幅したアップリンク集成高周波ブロードバンド複合信号を生成する。続いて、ステップＳ３６０では、ブロードバンド高周波分配器ＨＦは増幅したアップリンク集成高周波ブロードバンド複合信号を上記多路アップリンク高周波ブロードバンド複合信号Ｔｓ１〜Ｔｓｎに割り当てる。ステップＳ３７０では、複数の高周波ディジタル変復調器Ｔ１〜Ｔｎ中の複数の変調器中のすべてを採用して上記多路アップリンク高周波ブロードバンド複合信号中のユーザー端末周波数と対応される一路をそれぞれ接収してユーザーアドレスコードを持っているのに対応される多路ディジタル復調ベースバンド信号を復調生成する。最後、ステップＳ３８０では、生成した上記多路ディジタル復調ベースバンド信号を接収して、接収した上記多路ディジタル復調ベースバンド信号中のアドレスコードのヘッダーによって複数のユーザーＤＴＭＦアドレスコードのヘッダーを持っている集成ディジタルベースバンド信号を輸出する。該複数のユーザーＤＴＭＦアドレスコードのヘッダーを持っている集成ディジタルベースバンド信号は交換機を経て情報処理設備に提供する。ユーザーの命令に基づく、情報処理設備は接収されたディジタル復調ベースバンド信号中のアドレスコードヘッダーによって社会幹線網を選択して輸送するとか上記交換機に複数のユーザーＤＴＭＦアドレスコードのヘッダーを持っているダウンリンク集成ディジタルベースバンド信号を提供する。
【００２７】
図４Ａ〜４Ｃで示したのは本発明のディジタル高周波変調器及び復調器の回路原理図である。その中、図４はディジタル高周波変調器回路原理図であり、その中のＩＣ１はＤＴＭＦデコーディング専用集積回路で、本実施例においてはＹＮ９１０１を採用し、その内に論理処理、正弦波生成、振動回路を設置し、そのピン９、ピン１０は晶振に接続し、ＨＬは時計同期を保証する。ＩＣ２はＤＴＭＦ復号専用集積回路で、本実施例はＣＤ４０２８を採用し、その内に論理処理回路を設置して二進法ＤＴＭＦ信号を十進法コードに復号する。Ｄ１、Ｄ２、Ｄ３、Ｄ４、Ｄ５、Ｄ６、Ｄ７、Ｄ８、Ｄ９、Ｄ１０は単向サイリスターであり、Ｄ１〜Ｄ８はパワーオンアドレスコード組合回路を構成し、Ｄ９、Ｄ１０はパワーオフコード回路を構成する。パワーオンアドレスコード組合回路とパワーオフコード回路は本発明のＤＴＭＦコードスイッチ回路を構成する。Ｇ１は結晶三極管であり、抵抗Ｒ１、Ｒ２はＧ１のベースバイアス抵抗を構成し、Ｒ３はＧ１のエミッタ抵抗であり、Ｒ４はＧ１のコレクタ負荷抵抗であり兼ねて電流制限保護抵抗である。Ｋは継電器の常時閉スイッチである。Ｄ１〜Ｄ８のコントロール電極はＤＴＭＦ復号専用集積回路ＩＣ２の十進法のピン６、ピン５、ピン３、ピン７、ピン８、ピン２、ピン４、ピン９にそれぞれ接続して６５３７８２４９アドレスコードを構成する。Ｄ１０、Ｄ９はピンＤとピン０にそれぞれ接続して、Ｋとパワーオフ回路を構成し、ＤＴＭＦデコーディング専用集積回路ＩＣ１、ＤＴＭＦ復号専用集積回路ＩＣ２、Ｇ１及び周辺素子と共に専用コードトリガーオンオフ回路を構成し、交換機から来たディジタル信号Ｗ１〜Ｗｎ中にこのコードの６５３７８２４９ＤＴＭＦ信号がある時、Ｄ／Ａ変換回路（ＰＣＭ）を通じてＤＴＭＦ信号と転換し、ＤＴＭＦデコーディング専用集積回路ＩＣ１のピン７を通じて入力し、ピン１、ピン２、ピン１３、ピン１４から出力された２組ディジタルの二進法ＤＴＭＦ信号をＩＣ２の対応するピン１２、ピン１１、ピン１０、ピン１３に接続し、ＤＴＭＦ復号専用集積回路ＩＣ２の復号を通じて十進法の０、１、２、３、４、５、６、７、８、９及び＃、＊、Ａ、Ｂ、Ｃ、Ｄピン番号を出力し、もし出力するのが６５３７８２４９ならそれぞれ前後Ｄ１〜Ｄ８を触発してターンオンする。Ｒ１、Ｒ２を経てＧ１がベースバイアス電圧を得られてさせる、Ｇ１がターンオンされてエミッターから後級回路に電力を供給する（Ｄ１〜Ｄ８ターンオンした後電力を切断しないと、ずっとターンオンする状態に置かれているから働きはとても信頼できる）、情報の伝送が終わってテイルのＤと０の信号が着いた時Ｄ９とＤ１０を触発してターンオンさせる、その時Ｋの働くコイルに電流が通ってＫを動作させ、ノッチ１と２を分ける、それなら、Ｄ１〜Ｄ１０中の全部のサイリスタは停電するためターンオフ状態になる、その時Ｇ１はベースバイアス電圧を失って切断されてターンオフ状態になる。そのエミッター無電源は後級回路に出力する。その時Ｋは電力が切断されて、ピン１の２番号は再びクローズして、トリガー回路が待機状態になる。
【００２８】
ＩＣ３はディジタル高周波変調集積回路であり、本実施例はＴｘ６０００を採用し、その内部にＳＡＷ共振器、ＳＡＷフィルター、ＲＦ増幅器、変調とバイアス制御などの回路を設置する。ピン１７は状態制御であり、そのピンの信号が高レベルの時、働くは発射し、低レベルの時睡眠待機である。Ｌ１は直列マッチングコイル、Ｌ２は保護コイル、Ｃ１１はカップリングコンデンサであり、Ｌ３コイルとＣ１２は周波数選択共振回路を構成して、コンデンサーとインダクタンスを変えて接収周波数を変えることができる。Ｇ２は高周波三極管であり、抵抗Ｒ５、Ｒ６はＧ１のベースバイアス抵抗であり、Ｒ７はＧ１のエミッター抵抗であり、インダクタンスＬ７、Ｌ５、Ｌ６、コンデンサーＣ１、Ｃ２、Ｃ３、Ｃ４及び高周波コアメモリＨ１、Ｈ２とＧ１は共に周波数変換増幅回路を構成し、Ｇ３は高周波増幅三極管であり、抵抗Ｒ８はベースバイアス抵抗であり、Ｒ９はエミッター抵抗であり、Ｒ１０はコレクター負荷抵抗であり、コンデンサーＣ６、Ｃ７、Ｃ８とＬ９のインダクタンスはフィルターリング回路を構成し、Ｃ８は兼ねてカップリングコンデンサで、抵抗Ｒ１１、Ｒ１２、Ｒ１３は抵抗マッチング回路を構成し、ＲＦは高周波出力ポートである。Ｃ１４、Ｃ５はバイパス・コンデンサーであり、Ｃ９、Ｃ１０、Ｃ１３、はフィルターリングコンデンサーであり、Ｒ１５はフィルターリング抵抗であり、Ｒ１４はダンピング抵抗である。Ｗ１〜Ｗｎ中の該ユーザーアドレスコードを持っているダウンリンクディジタル信号は該ユーザー専用の専門周波数のディジタル変調高周波回路に通電工作させて、その信号はＲ１４を経てＩＣ３のピン７に入って、内部回路で処理した後高周波複合信号と変えてピン２０を経て出力し、Ｌ１、Ｃ１１を経てＣ１２、Ｃ１３を接続して周波数の選択を同調し、Ｌ４を通じてＧ２のベースにカップリングし、Ｇ２と周辺素子で構成する周波数変換回路は該ユーザーが授権した周波数に変えてからＬ７、Ｌ８を通じてＧ３のベースにカップリングし、Ｇ３を通じて増幅した後Ｃ６、Ｃ７、Ｒ１１、Ｒ１２を経てＲＦを接続しＴｘ１〜Ｔｘｎを接続する。
【００２９】
図４Ｂは本発明のディジタル高周波変調器回路原理図である。その中、Ｇ１は高周波周波数変換クリスタル三極管であり、Ｈ１、Ｈ２は高周波コアメモリであり、Ｇ１、Ｈ１、Ｈ２とインダクタンスＬ３、Ｌ４、Ｌ５及びコンデンサーＣ３、Ｃ４、Ｃ５、Ｃ６は周波数変換増幅回路を構成し、抵抗Ｒ１、Ｒ２はＧ１のベースバイアス抵抗であり、Ｒ３はエミッター抵抗であり、Ｇ２は高周波増幅結晶三極管であり、Ｒ４はベースバイアス抵抗であり、Ｒ５はコレクタ負荷抵抗であり、Ｒ６はエミッター抵抗であり、コンデンサーＣ７はエミッターバイパス・コンデンサーであり、ＩＣ１はディジタル高周波復調集積回路である、本実施例はＲｘ６０００を採用し、その内部にＳＡＷフィルター、ＳＡＷ遅延線、ＲＦ増幅器、データ制限器、検波器、ローパス・フィルタなどの回路を設置する。ピン１７、ピン１８を並列接続してからＲ／Ｓを接続した状態で制御し、該制御が高レベルに置いている時は接収状態になり、低レベルに置いている時は低消耗睡眠待機状態になり、Ｒ１１、Ｒ１２、Ｒ１３はレベル制限抵抗であり、Ｒ１４は帯域制御抵抗であり、Ｒ１０、Ｒ１５はＲＦ増幅バイアス抵抗であり、Ｃ１２、Ｃ１３はバイパス・コンデンサであり、Ｃ１４はピン５とピン６のカップリングコンデンサであり、Ｃ１０、Ｃ１１は減結合コンデンサ、抵抗Ｒ７、Ｒ８、Ｒ９はインピーダンス・マッチング回路を構成し、コンデンサＣ８、Ｃ９、Ｃ１５とインダクタンスＬ９はフィルタリング回路を構成し、Ｌ７はマッチングインダクタンスであり、Ｌ８は保護インダクタンスであり、コンデンサＣ８は兼ねてカップリングコンデンサである。図４Ｂで示した回路はユーザー変復調器と図２Ａを一緒に結合して即ち先端ディジタル高周波変復調器Ｔ１〜Ｔｎである。ＦＸ或はＴＳ１〜ＴＳｎから来る高周波複合信号ＶｊｓはＣ１を通じてＬ１、Ｃ２で構成した周波数選択共振回路にカップリングして、自分が必要とする信号を選んで、Ｃ２或はＬ１インダクタンス量を変えたら周波数選択を変えることができる、Ｌ２を通じてＧ１のベースにカップリングし、Ｇ１が構成した周波数変換増幅回路を通じて指定された周波数と変えれる、Ｃ３、Ｃ４、Ｃ５、Ｃ６或はＬ３、Ｌ４、Ｌ５インダクタンス量を変えたら周波数を変えることができる、Ｌ６を通じてＧ２のベースにカップリングし、Ｇ２増幅してからＣ８、Ｃ９のカップリングを通じてＲ７、Ｒ８、Ｒ９からＩＣ１が要求する抵抗に変える、ディジタル高周波復調集積回路ＩＣ１のピン２０を通じて入力し、ＩＣ２内部回路処理し、第７ピンにディジタルベースバンド信号Ｕｘｓを出力、その信号は即ちユーザー端末のＵｘ１〜Ｕｘｎ或は先端のＷ１〜Ｗｎ中のアップリンク信号である。
【００３０】
図４Ｃはユーザー端末ディジタル高周波変調器の回路原理図である。図の中で、ＩＣ１はディジタル高周波復調集積回路であり、本実施例はＴｘ６０００を採用する、その内部にＳＡＷ共振器、ＳＡＷフィルター、ＲＦ増幅器、変調とバイアス制御などの回路を設置し。Ｌ１は直列マッチングコイル、Ｌ２は並列接続保護コイルであり、Ｃ１２、Ｃ１３は減結合バイパス・コンデンサであり、Ｒ１０は減結合抵抗である。Ｃ１はカップリングコンデンサであり、コンデンサＣ２とインダクタンスＬ３は周波数選択共振回路を構成する。Ｌ４カップリングコイルであり、Ｇ１は高周波周波数変換増幅クリスタル三極管であり、Ｒ１、Ｒ２はＧ１のベースバイアス抵抗であり、Ｃ３はバイパス・コンデンサであり、Ｒ３はＧ１のエミッター抵抗である。コンデンサＣ４、Ｃ５、Ｃ６、Ｃ７インダクタンスＬ５、Ｌ６、Ｌ７高周波コアメモリＨ１、Ｈ２とＧ１は一緒に周波数変換増幅回路を構成し、Ｌ８カップリングインダクタンスであり、Ｇ２は高周波増幅クリスタル三極管であり、Ｒ４はＧ２ベースバイアス抵抗であり、Ｒ５はエミッター抵抗である。Ｃ８はバイパス・コンデンサであり、Ｒ６はコレクタ負荷抵抗である。コンデンサＣ９、Ｃ１０、Ｃ１１とインダクタンスＬ９はフィルタリングを構成し、コンデンサＣ９は兼ねてカップリングコンデンサであり、抵抗Ｒ７、Ｒ８、Ｒ９は抵抗マッチング回路を構成し、ＲＦは高調波出力ポートである。Ｒ１０はダンピング抵抗である。ユーザー端末のディジタルベースバンド信号ＵｓはＩＣ１のピン７を通じて入力し、内部回路処理した後はピン２０から高周波複合信号を出力し、Ｌ１、Ｃ１はＣ２、Ｌ３から構成する周波数選択共振回路にカップリングして、Ｃ２或はＬ３を変えて周波数選択を変えられる、Ｌ４を通じてＣ１のベースにカップリングして、Ｇ１と周辺素子構成した周波数変換増幅回路を通じてユーザーが授権指定した周波数に変えてコンデンサＣ４、Ｃ５、Ｃ６、Ｃ７とインダクタンスＬ５、Ｌ６、Ｌ７を変えて働く周波数を変えられて、Ｌ８を通じてＧ２のベースにカップリングし、Ｇ２を経て増幅した後コレクタからＣ９、Ｃ１０、Ｒ７、Ｒ８を経てＲＦで出力して、高周波同軸ケーブルを接続して、アップリンク線路に行く。
【００３１】
図５Ａと図５Ｂは本発明のアップリンク・ダウンリンク高周波伝送ネットワークの回路原理図である。
【００３２】
上記図面で示したネットワーク線路は高周波同軸ケーブルを採用して、例えば米国のＴｒｉｌｏｇｙｎｃ＾２  ０．５００同軸ケーブルが使いできるが、回路中の技術標準とパラメーターは復旦大学出版社の『有線電視』
（外）
2009510849.tif 000003
と電子工業出版社の
（外）
2009510849.tif 000004
を参照する。以下の表１は、各系列の高周波同軸ケーブルが異なる周波数帯域及び伝送距離における工作特性を分析したもので、これを結合して本発明の伝送通信ネットワークの設計長所を説明する。
【００３３】
【表１】
2009510849.tif 000005
【００３４】
上の表は、工作周波数が高いほど信号減衰量が大きくなることを説明する。伝統の技術構造において、より高い通信資源周波数を得るために、低周波数帯域の伝送性能を犠牲させて実現する。だから、ネットワークにおいて、バランスとスロープコントロールを多く使って低周波数帯域信号の増幅量を抑え、大量の資源浪費をもたらす。本発明のネットワーク設計原則はユーザーごとに一つの専有周波数を具備する専有チャネルを持たせように授権することになって、遠近によってネットワークセグメントの工作周波数を区分することができ、高周波同軸ケーブルの各周波数帯域における伝送特性を充分にシームレスに利用することができ、線路においてのバランスとスロープコントロールを省くことができ、一回増幅して１０００メートル以上伝送しても（８００ＭＨＺネットにおいて２００メートル未満で中継増幅して高周波損失を補償する）、低周波数帯域は１０００メートルのところで８４−９８．５ｄｂの電界強度がある。
【００３５】
図５Ａは本発明のダウンリンク伝送通信ネットの回路原理図である。同図においての設計原則はＣＡＴＶ技術標準を使い、ＵＨはダウンリンク高周波ブロードバンド・複合信号で、Ｍｉｃ７２３０Ａの増幅によって１１０ｄｂの電界強度を出力し（幹線において３級増幅を超えないと最高１２０ｄｂまで出力することができる）、Ｔｒｉ１ｇｙｍｃ＾２  ０．５００高周波ケーブルを通じて下向いて伝送して、２００メートルの段にＨＤＣ−１７２−０８スプリッタを接続して２路の支幹線を引き出して、その支幹線中のすべてのユーザーがオーソライズされて８００ＭＨＺ以上の帯域周波数を使って、支幹線はただ８００ＭＨＺ以上の周波数の各距離の信号電界強度状況を計算し、５０メートルごとにＨＤＣ−１７−０８スプリッタを接続して、２路のユーザー・支線を引き出し、その出力電界強度は１１０ｄｂ−６．１７×２（１００メートル線の損耗）−８（分岐損耗）＝８９．６６ｄｂで、その開始のユーザー支線にある各ユーザーは８００ＭＨＺ以上の最高の周波数を使い、支幹線上の２００メートルところに第４個のＨＤＣ−１７２−０８スプリッタを接続して２路のユーザー支線を引き出し、その初めての出力は８９．６６−６．１７Ｘ２（１００メートルケーブル損耗）−３Ｘ４（３つの２分岐のスプリッタの挿入損耗）−８（分岐損耗）＝５７．３２ｄｂである。すると、第一個の４分岐のユーザーグループは５７．３２−６．１７Ｘ０．５−１４＝４０．２４ｄｂで、第２個の４分岐のユーザーグループは５７．３２−６．１７Ｘ１−４Ｘ１−８＝３９．１５ｄｂで、第３個の４分岐のユーザーグループは５７．３２−６．１７Ｘ１．５−４Ｘ２−８（割り当て損耗）＝３２．０７ｄｂで、ディジタル高周波信号によってユーザー端末の標準電界強度は４０ｄｂ±１０ｄｂで、各ユーザー端末の電界強度は完全に要求標準に符合し、支幹線上に距離延長のために支幹線増幅器を追加して設置することができ、信号のスケールを保証するため、その他の専門技術の措置を採用しない時原則的に３級を越えない。幹線において２００メートルごとにＨＤＣ−１７２−０８  ２分岐のスプリッタを追加してつなぎ、各周波数帯域の支幹線を引き出し、第８００メートルところに２路の２００ＭＨＺ以上３９９．９ＭＨ以下の支幹線を引き出し、分岐開始のレベルは１１０ｄｂ−３．０４Ｘ８（２００ＭＨＺ線の損耗）−１．５Ｘ３（２００ＭＨＺの時３つのスプリッタの挿入損耗）−８（分岐損耗））＝７３．１８ｄｂであり、支幹線の１００メートルごとにＨＤＣ−１７２−０８（もしくは１７４−＊）をつなぎ、ユーザー支線を引き出し、３００メートルところのＨＤＣ−１７２−０８で引き出したユーザー支線の電界強度のレベルは７３．１８−３．０４Ｘ３−１．５Ｘ２−８＝５３．０６ｄｂで、だから第一個の４分岐のユーザーグループは５３．０６−３．０４Ｘ０．５−１４＝３７．５４ｄｂで、第２個の４分岐のユーザーグループは５３．０６−３．０４Ｘ１−１．５Ｘ１−１０＝３８．５２ｄｂで、第３個の４分岐のユーザーグループは５３．０６−３．０４Ｘ１．５−１．５Ｘ２−８＝３７．５ｄｂで、第４個の４分岐のユーザーグループは５３．０６−３．０４Ｘ２−１．５Ｘ３−８＝３４．４８ｄ���で、各ユーザーの電界強度のレベルは皆な要求の標準に符合する。
【００３６】
図５Ｂは本発明のアップリンク通信伝送ネットの回路原理図である。支幹線とユーザー支線の設置要求は図５Ａと対等的に同様に設けて、各ユーザーのディジタル高周波変調器は１１０  ｄｂを出力するように配置し、２００ＭＨＺ周波数帯域の支線の３００メートルの所のユーザー支線の最も遠い端の４分岐のユーザーグループから幹線までのレベルは１１０ｄｂ−３．０４Ｘ５（２００ＭＨＺ  ５００メートル線の損耗）−１．５×６（２００ＭＨＺスプリッタ挿入損耗）−８（分岐の混合損耗）＝７７．８ｄｂである。順次の各ユーザーグループは：
１１０−３．０４Ｘ４．５−１．５Ｘ５−１０＝７８．８２ｄｂ
１１０−３．０４Ｘ４−１．５Ｘ４−１４＝７７．８４ｄｂ
１１０−３．０４Ｘ３．５−１．５Ｘ３−１６＝７７．８６ｄｂで、
完全に支線増幅器の入力端のレベル要求に符合し、ＭＩＣ−６３３０Ａを通じて増幅した後１１０ｄｂを出力し、幹線の前端の増幅器に到着するレベルは１１０−３．０４Ｘ８−１．５Ｘ３−８＝７３．１８ｄｂで、幹線増幅器ＭＩＣ６３３０Ｂを通じて増幅した後１０５．１８  ｄｂレベルをＨＦに出力する。幹線の８００ＭＨＺ周波数帯域の幹線の２００メートルの所のユーザー支幹線の最も遠い端の４分岐のユーザーグループから幹線までのレベルは１１０−６．１３Ｘ１．５−２Ｘ４−８＝８４．７４ｄｂで、順次その他の４分岐ユーザーグループは１１０−６．１７Ｘ１−１Ｘ４−１４＝８５．８３ｄｂ、１１０−６．１７Ｘ０．５−２０＝８６．９２ｄｂ、その周波数は最高で８５．８３ｄｂ  −１．５ｄｂ＝８５．４２  ｄｂである。ＦＢＶ７１８Ｐ増幅器を通じて増幅した後幹線に到着するレベルは８５．５±１８−６．１７Ｘ２−３Ｘ４−８＝７１．０６ｄｂであり、ＦＡＧ−７２４Ｐを通じて増幅した後幹線増幅器の輸入端に到着するレベルは７１．０６＋２４（増幅利得）−６．１７＊２−８＝７４．７２ｄｂであり、減衰はその他の支幹線とのレベル差が隣接チャネル技術要求（±２ｄｂ）に符合するように調整し、幹線増幅器ＭＩＣ−６３３０Ａを通じて増幅した後ＨＦ入力端に着く。
【００３７】
図６に示すのは本発明のユーザー端末操作装置であり、電信の音声通信も兼ねる。その中のＩＣ１はＤＴＭＦ（ＤＵＡＬ  ＴＯＮＥ  ＭＵＬＴＩ  ＦＲＥＱＵＥＮＣＹ）ダイヤルアップ集積回路であり、ＭＫ５０８７を使い、その内にキーボード論理回路を設置し、ピン３，ピン４，ピン５，ピン９はキーコラム入力であり、ピン１１，ピン１２，ピン１３，ピン１４はキー行入力であり、その外にキーボード操作を接続し、その内にクロック発振回路を設置し、ピン７，ピン８に発振器ＨＩＤを接続し、ピン７は発振入力であり、ピン８は発振出力であり、その内に分周回路、ラダースカラー（Ｌａｄｄｅｒ  Ｓｃａｌａｒ）回路、Ｄ／Ａ変換回路等を設置する。ピン１６からＤＴＭＦ（ＤＵＡＬ  ＴＯＮＥ  ＭＵＬＴＩ  ＦＲＥＱＵＥＮＣＹ）信号を出力し、Ｖ＋は電源で、ＭＣはマイクロフォンで、抵抗Ｒ１はＭＣのバイアス抵抗であり、Ｇ１はオーディオ増幅三極管であり、Ｒ３はＧ１のベースバイアス抵抗であり、Ｒ４はＧ１のコレクタ負荷抵抗であり、Ｒ５はＧ１のエミッター抵抗であり、Ｃ４はエミッター・バイパス・コンデンサ（Ｂｙｐａｓｓ  Ｃａｐａｃｉｔｏｒ）  であり、Ｃ２、Ｃ３、Ｃ１２はカップリング・コンデンサであり、Ｒ２はＭＣ音量調節抵抗であり、コンデンサＣ１と定電圧ダイオードＤと抵抗Ｒ６が電源フィルタリング回路を構成し、Ｇ２、Ｇ３、Ｇ４は低周波増幅三極管であり、Ｒ１５はＧ２の振幅を制限するベースバイアス抵抗であり、Ｒ１３はＧ２のエミッターの抵抗であり、Ｒ１４はＧ２のコレクタ負荷抵抗で、兼ねて電源を保護する電流制限抵抗であり、Ｒ１２はＧ３のコレクタ負荷抵抗で、兼ねてＧ４のベースバイアス抵抗であり、ＩＣ２はオーディオ増幅集積回路であり、ＬＭ３８６を採用して、その内に前置増幅回路と電力増幅回路を設置し、Ｃ６はバイパス・コンデンサであり、Ｃ７、Ｃ８、Ｃ１４はカップリング・コンデンサであり、可調節抵抗Ｒ８とコンデンサＣ５はピン１１とピン８の間でつなぎ、Ｒ８とＣ５を調節して増幅利得を変えることができ、電位差計ＲＷと抵抗Ｒ７は音量調節回路を構成する。ＳＡはスプリングスイッチであり、Ｖ＋は電源である。ＩＣ１の入力キーボード操作の時必要な通信ヘッダーとテイルのコントロール信号及び電信の対内対外通信による叫ばれ方のアドレスを発送され、Ｄはテイルの専用キーであることに注意するべきで、ユーザー端末では使わない。ピン１６を通じて出力し、Ｃ１２を通ってＧ１のベースにカップリングされ、Ｇ１を通じて増幅した後にコレクタとＣ３を通じて出力し、Ａ／Ｄ変換（ＰＣＭ）を通じてディジタル信号ＵＳ１〜Ｕｓｎで転換されＴｄ１〜Ｔｄｎに入力される。この時ＳＡはピックアップ状態で、ＳＡ１のピン１とピン２がターンオンし、キーボード操作とオーディオ増幅及びＩＣ２の構成である電力増幅回路に電力を供給し、叫ばれて連結した後ユーザーの音声はＭＣを通じて電気信号になり、Ｃ２、Ｒ２を通じてＧ１のベースに着き、Ｇ１を通じて増幅した後にアップリンク線路を通じて先端サーバーに到着し、処理した後で相手と通話し、相手からの通話信号はサーバーを通じて処理と交換され、ダウンリンク線路を通じてユーザー端末に伝わり、Ｄ／Ａ変換（ＰＣＭ）を通じて転換されてＲＷの入力端につなぎ、Ｃ８を通じてＩＣ２  のピン３に、増幅した後ＩＣ２のピン５から電力オーディオ信号を出力し、Ｃ７を通じてカップリングしてスピーカーＹ２に着き、音声は回復して放す。ＳＡがハングオフ（ｈａｎｇ  ｏｆｆ）状態の時ＳＡのピン１とピン２がターンオフ、ピン３とピン４がターンオンし、リング信号がない（電信信号のコントロールによって決める）時、Ｕｂのレベルが低いとＮＰＮクリスタル三極管Ｇ２のベースが低い電位であり、Ｇ２がターンオンされて動作し、Ｇ３のベースはバイアス電圧を得て、Ｒ１２の電圧降下を増大させ、Ｇ４のベースが低い電位となってオフ状態である。通信のリング信号が到着した時、Ｇ２のベースは高電位でＧ２はオフされ、この時Ｇ３はベースバイアス電圧がなくてオフされ、Ｒ１２の電圧降下を減少させ、Ｇ４のベースバイアス電圧が上がってターンオンされて動作し、コレクタとエミッターを通じてＩＣ３に電力を供給し、ＩＣ３はリング集積回路ＫＡ２４１０であり、その内は高低の２組の発振回路を設ける。抵抗Ｒ１０とコンデンサＣ１３はそれぞれピン４とピン３に接続して低周波発振を構成し、抵抗Ｒ１１とコンデンサＣ１０はそれぞれピン６とピン７に接続し高周波発振を構成する。抵抗Ｒ９  がピン２に接続するのは電源・トリガー制御であり、ピン１は電源を接続し、Ｃ９はフィルタリング・コンデンサであり、その発振周波数はＲ１０、Ｃ１３およびＲ１１、Ｃ１０の大きさに関し、電源を通じた時ＩＣ３が動作して生成した高低グループ発振周波数信号は１０ＨＺの周波数で切り替えて工作し、オーバーラップして増幅した後ピン８を通じて出力し、コンデンサＣ１１を通じてオーディオアダプターＢのライマリ・コイルにカップリングされ、再びセカンダリ・コイルにカップリングされ、スピーカーＹ１をつないで音を放し、リング提示の操作が完成する。リング信号が停止すると、Ｇ４はオフされ、ＩＣ３は電源を断たせてオフされ、もしユーザーがピックアップして通話すると、ＳＡ１のピン１とピン２はターンオンし、ピン３とピン４は切断されて、リングは停止する。
【００３８】
図７は本発明のユーザー端末の多機能サービス応用インタフェースの回路原理図である。同図に示すようにＩＣ１はＤＴＭＦ（ＤＵＡＬ  ＴＯＮＥ  ＭＵＬＴＩ  ＦＲＥＱＵＥＮＣＹ）デコーディング専用集積回路であり、本発明の実施例中ＹＮ９１０１を採用し、内部の回路は図２ＡのＩＣ１と同じて、ＨＬはクリスタル発振器でピン９とピン１０に接続し、ピン７はＤＴＭＦ信号を入力するピンである。Ｇは低周波増幅三極管であり、Ｒ１はＧのベースバイアス抵抗であり、Ｒ２はＧのコレクタ負荷抵抗である。
【００３９】
ＩＣ２はＤＴＭＦ（ＤＵＡＬ  ＴＯＮＥ  ＭＵＬＴＩ  ＦＲＥＱＵＥＮＣＹ）復号専用集積回路であり、本発明の実施例中ＣＤ４０２８を採用し、内部の回路は図２ＡのＩＣ２と同じて、ＤＴＭＦ（ＤＵＡＬ  ＴＯＮＥ  ＭＵＬＴＩ  ＦＲＥＱＵＥＮＣＹ）コード信号が来る時、Ｃ１を通じてカップリングしてＤＴＭＦデコーディング専用集積回路ＩＣ１のピン７に入力し、ピン１、ピン２、ピン１３、ピン１４を通じて２組の２進法ＤＴＭＦ信号をＤＴＭＦ復号専用集積回路ＩＣ２の対応するピン３、ピン２、ピン２２、ピン２１に出力して、この時ＤＴＭＦデコーディング専用集積回路ＩＣ１のピン１２から出力した高レベルがＲ１を通じてＧのベースに着いて、Ｇがベースバイアス電圧を得てオンされ工作し、ＤＴＭＦ復号専用集積回路ＩＣ２のピン２３は接地状態で工作を始めて、ＤＴＭＦ信号がある時だけＤＴＭＦデコーディング専用集積回路ＩＣ１とＤＴＭＦ復号専用集積回路ＩＣ２が工作状態になることを確保し、２進法ＤＴＭＦ信号はＤＴＭＦ復号専用集積回路ＩＣ２によって１０進法のＤＴＭの１、  ２、  ３、  ４、  ５、  ６、  ７、  ８、  ９、  ０、  ＊、  Ａ、  Ｂ、  Ｃ、  Ｄ信号になり、それぞれピン  ９、  １０、  ８、  ７、  ６、  ５、  ４、  １８、  １７、  ２０、  １９、  １４、  １３、  １６、  １５、  １１から出力する。Ｋｊは継電器の常時閉スイッチであり、Ｄａ１、  Ｄａ２、  Ｄａ３、  Ｄａ４、  Ｄａ１’、  Ｄａ２’、  Ｄａ３’、  Ｄａ４’、  Ｄｂ１、  Ｄｂ２、  Ｄｂ３、  Ｄｂ４、  Ｄｂ１’、  Ｄｂ２’、  Ｄｂ３’、  Ｄｂ４’、  Ｄｃ１、  Ｄｃ２、  Ｄｃ３、  Ｄｃ４、  Ｄｃ１’、  Ｄｃ２’、  Ｄｃ３’、  Ｄｃ４’、  Ｄｄ１、  Ｄｄ２、  Ｄｄ３、  Ｄｄ４、  Ｄｅ１、  Ｄｅ２、  Ｄｅ３、  Ｄｅ４、  Ｄｆ１、  Ｄｆ２、  Ｄｆ３、  Ｄｆ４、  Ｄｇ１、  Ｄｇ２、  Ｄｇ３、  Ｄｇ４、  Ｄｈ１、  Ｄｈ２は単向サイリスターである。ＩＣ３はオーディオ電力増幅集積回路であり、本発明の実施例中ＬＭ３８６を採用して、その内に前置増幅回路と電力増幅回路を設置し、電位差計ＲＷと抵抗Ｒ４は音量調節回路を構成し、Ｒ３は自動警報の時の音量維持抵抗で抵抗値はＲ４より十分大きい。抵抗Ｒ５、Ｒ６、Ｒ７、Ｒ８、Ｒ９、Ｒ１０は電流制限保護抵抗であり、Ｒ１１はダンピング抵抗であり、Ｃ１、Ｃ２、Ｃ３、Ｃ５はカップリング・コンデンサであり、Ｃ４はバイパスコンデンサであり、Ｄａ１、Ｄａ２、Ｄａ３、Ｄａ４のコントロール電極にそれぞれＩＣ２のピン  ＃  （１４）、ピンＢ（１６）、ピン９（１７）、ピン１（９）を接続して、コード＃Ｂ９１のコントロール回路を構成し、継電器の常時開スイッチＫ１と直列で接続し、対応するＤａ１’、Ｄａ２’、Ｄａ３’、Ｄａ４’のコントロール電極にそれぞれＤＴＭＦ復号専用集積回路ＩＣ２のピン※（１９）、  ピン９（１７）、ピン９（１７）、ピン１（９）を接続し、コードが※９９１である継電器の常時閉スイッチＫ１ｓと直列で接続したコントロール回路を構成し、そして、手動式スイッチＳＫ１を直列で接続し、ＳＫ１が切断した時コントロールできない。同様に、Ｄｂ１、Ｄｂ２、Ｄｂ３、Ｄｂ４とＤｃ１、Ｄｃ２、Ｄｃ３、Ｄｃ４のコントロール電極にそれぞれＤＴＭＦ復号専用集積回路ＩＣ２の対応��たピンを接続し、そして継電器の常時開スイッチＫ２、Ｋ３を直列で接続し、コードが＃Ｂ９２、  ＃Ｂ９３であるコントロール回路を構成し、対応するＤｂ１’、Ｄｂ２’、Ｄｂ３’、Ｄｂ４’とＤｃ１’、Ｄｃ２’、Ｄｃ３’、Ｄｃ４’のコントロール電極にそれぞれＤＴＭＦ復号専用集積回路ＩＣ２の対応したピンを接続し、コードが※９９２、※９９３である継電器の常時閉スイッチＫ２ｓ、  Ｋ３ｓ及び手動式スイッチＳＫ２、  ＳＫ３と直列で接続するコントロール回路を構成し、そのＫ１、Ｋ２、Ｋ３はそれぞれ室内と室外のコントロールされる電器に、例えば、エアコン、洗濯機、照明のパワースイッチに直列で接続し、もしその他のもっと多くのコントロールが必要したらこの形態で多路エンコードのコントロール回路を構成することができる。Ｄｄ１、  Ｄｄ２、  Ｄｄ３、  Ｄｄ４のコントロール電極にそれぞれＤＴＭＦ復号専用集積回路ＩＣ２のピン  Ｃ  （１５）、  ピン  １  （９）、  ピン  １  （９）、  ピン  ０  （２０）  を接続し、Ｄｅ１、Ｄｅ２、Ｄｅ３、Ｄｅ４のコントロール電極にそれぞれＤＴＭＦ復号専用集積回路ＩＣ２のピン  Ｃ  （１５）、  ピン  １  （１９）、  ピン  １  （１９）、ピン  ９  （１２）  を接続し、Ｄｇ１、Ｄｇ２、Ｄｇ３、Ｄｇ４のコントロール電極にそれぞれＤＴＭＦ復号専用集積回路ＩＣ２のピン  Ｃ  （１５）、  ピン  １  （１９）、  ピン  ２  （１０）、  ピン  １  （９）  を接続し、それぞれＣ１１０とＣ１１９及びＣ１２１のコード・コントロール回路を構成し、その下端に共に継電器の常時閉双連スイッチＫ５と複合継電器Ｋ４を直列で接続し、Ｋ４がオフされた時ピン  １とピン  ２がターンオンされ、プリ・オーディオ信号を接続し、ＲＷの入力端を通って入力し、調整端を介してオーディオ電力増幅集積回路ＩＣ３のピン３に入力され、ピン６を通じて増幅されたオーディオ電力信号を出力し、Ｃ３を通じてカップリングされてスピーカーＹを駆動し、Ｋ５オフされた時ピン  １とピン  ２が接続され、抵抗Ｒ４がＲＷの下端に接続されて音量調節回路を構成し、この時Ｒ３がＲ４より十分大きくて、Ｒ３は作用を発揮しなくて、オーディオ電力増幅集積回路ＩＣ３のピン６にパワーＶ＋を接続し、ＳＡはオーディオ増幅回路の手動スイッチであり、ＤＲはダイオードであり、Ｄｈ１  、  Ｄｈ２のコントロール電極はそれぞれＤＴＭＦ復号専用集積回路ＩＣ２のＣ、  Ｄを接続し、Ｃ、Ｄコードを構成し、そして継電器の常時開スイッチＫｊを接続し、Ｃ１１０、Ｃ１１９、Ｃ１２１コードにコントロールされる上端をＫｊのコントロール・コイル一端に接続する。その工作方法は、ユーザーが遠隔で携帯電話あるいは固定電話を使って（この時Ｓｋ１、Ｓｋ２、Ｓｋ３はオフ状態になるように設定し、Ｓｋ１、Ｓｋ２、Ｓｋ３がそれぞれ切断されている時、その対応したコントロールは作用を発揮しない）、まずユーザーの家の固定電話番号がダイヤルされ、電信とユーザーネットのサーバーの接続を通じて、サーバーが信号を接収した後処理してユーザーの機器に発送し、Ｄ／Ａ変換器を通じて変換した後Ｋ５のピン４を接続し、Ｋ５のピン３からＲ１１を通じてカップリング・コンデンサＣ１に出力され、ＤＴＭＦデコーディング専用集積回路ＩＣ��のピン７に入力する。呼出音を聞いた後、遠隔で携帯電話あるいは固定電話の＃Ｂ９１キーを押し（より易い操作のために、携帯電話あるいは固定電話のＡ、Ｂ、Ｃ、Ｄキーを使用するのを提案し、もしそんなキーの機能がない携帯電話あるいは固定電話はその他の番号を使って始まる）、この時Ｄａ１、Ｄａ２、Ｄａ３、Ｄａ４はターンオン、パワーはＳＫ１の常時閉スイッチ、Ｄａ１、Ｄａ２、Ｄａ３、Ｄａ４とＫ１、Ｒ７を通じて閉路を構成し、Ｋ１のコントロール・コイルに電流が流れてＫ１動作してスイッチをクローズさせて、遠隔で家のパワーオン・コントロールすることができ、同様に＃Ｂ９２、＃Ｂ９３を操作してその他の関連している電器のパワーオンをコントロールすることができ、ユーザーが遠隔で携帯電話あるいは固定電話で家の番号をダイヤルする時、※９９１キーを操作することができ、この時Ｄａ１、Ｄａ２、Ｄａ３、  Ｄａ４がターンオンされ、Ｋ１ｓの継電器が通電す動作して常時閉スイッチが切断され、Ｄａ１、Ｄａ２、Ｄａ３、Ｄａ４、Ｄａ１’、Ｄａ２’、Ｄａ３’、Ｄａ４’瞬間的に電流が切断され、オフした待機状態になり、Ｋ１が接続を断ち、Ｋ１ｓをクローズさせて、再び待機コントロール状態に戻り、リモトパワーオフ機能を完成し、同様に※９９２と※９９３を操作することができ、対応したパワーオフコントロールを完成する。
【００４０】
社会の中で発生された公共の事件、例えば重要な刑事事件のグループ指揮、意外大規模の交通コントロール、各類の気象災害、ユーザー内での火災警報等、等級と区域と家を分けて各ユーザーに警報と指揮情報を発送する時、管理者は電信ネットワーク、放送ネットワーク、インタネットを通じてサービスを必要するユーザー区域あるいはユーザーグループにＣ１１０あるいはＣ１１９およびＣ１２２、Ｃ１２１を発送し、ユーザー区域のサーバーを通じてユーザーに通信警報指揮サービス信号ＵＤＡ４を発送し、それぞれＤｂ１〜Ｄｂ４，  Ｄｅ１〜Ｄｅ４、Ｄｆ１〜Ｄｆ４、Ｄｇ１〜Ｄｇ４をターンオンし、電源はＫＪの常時閉スイッチを通じてＫ４とＫ５に接続され、Ｋ４とＫ５が通電動作し、Ｋ４はピン１、ピン２を切断させて前段階の信号を断ち切って、ピン３、ピン４を接続し、オーディオ電力増幅集積回路ＩＣ３に電力を供給して工作させ、ＤＲは正常的に工作する時に電力がコントロール回路に供給されることを防止する。この時ＳＡは作用を発揮しないで、Ｋ５はピン１、ピン２を切断させてＲ４がフロート（ｆｌｏａｔ）するようにし、この時Ｒ３の抵抗値がＲ４より十分大きくて、ＲＷが音量の最大の状態になり、警報効果を保つ。この時前端から来た警報信号あるいは言語の指揮信号ＵＤＡはＲＷを通じてオーディオ電力増幅集積回路ＩＣ３のピン３に入力され、公共突発緊急警報指揮機能を完成する。この機能はテレビ、音響、コンピュータなどの家電のオーディオ増幅回路に接続して工作することができる。警報が終わる時、テイルにＣ，Ｄコードによるトリガーがあり、Ｄｎ１、Ｄｎ２がターンオンされ、ＫＪは通電して工作して、常時閉スイッチを切断し、関連するＤｅ１〜Ｄｅ４，Ｄｆ１〜Ｄｆ４，Ｄｇ１〜Ｄｇ４，Ｄｈ１，Ｄｈ２に電流が切断されて、待機状態になり、それによって公共突発事件が発生する時にユーザーの機器が自動的にパワーオンして、自動的に音量が増大し、自動的に信号を切替し、自動的にパワーオフする知能的応急公共サービス機能を完成する。
【００４１】
本発明による周波数割り当てユーザーアクセスＬＡＮのシステム及びアップリンク・ダウンリンク伝送方法は、ユーザーごとに専用通信チャンネルを提供するビジーと暇な状態の影響を受けない高透明的な新たな通信資源配置技術と、メイン幹線で途中無中継増幅のパッシブ運行を実現した高周波寛帯域の高速率大容量のユーザーアクセスＬＡＮの物理線路構造とを採用することで、シームレスな通信資源利用を実現して、大衆の操作習慣に適用し、学びと使用が易いし、普及応用に役立つ操作と通信サービス技術を創立した。したがって、ワンネットで総合的、高効率的に放送、電信、インターネット、公衆情報サービスネットなどの幹線網のデータ通信アクセスを支持し、本ネット（区）内での多機能通信を支持する。ディジタル情報技術の知能（高速ロジック演算）、伝送（高速率大容量通信）、保存（高速大容量の密集情報アクセス）の優勢をより良く発揮できる。幹線網とユーザーアクセスＬＡＮの機能と任務を分離させて、高効率的にデータ通信運行パターンを実現する共に現有のＴＣＰ／ＩＰ技術構造及びアナログ通信システムをコンパチブルできる。総合コストが低い、施工とメンテナンスが容易、管理が便利、ユーザー端末で容量アップするにも線路の施工を不要、総合配線が極めて少ない、技術のアップグレードにも適応できる、ユーザーアクセスＬＡＮ設備の工場化大量生産を実現できる、さらに放送及び電信等システムの時代的モデル転換を有効・低コスト的に実施することができる等の長所がある。本発明はユーザーの高度密集、情報通信量の大きい社会現状に適し、大衆化普及応用を有効に支持できるので、ディジタル化社会建設の速い発展に役立つ。
【００４２】
以上、本発明の好ましい実施例を記述したが、明細書で開示された内容は説明の目的だけに用いるもので、本技術分野の当業者ならば、本発明は記述した好ましい実施例に限定されるものではなく、添付した特許請求の範囲によって定義される本発明の本質と範囲内で様々な変更と修正が可能なことが理解できる。
【図面の簡単な説明】
【００４３】
【図１】図１は本発明によるディジタル情報総合性通信サービス応用の周波数割り当てユーザーアクセスＬＡＮの回路原理ブロック図である。
【図２】図２は本発明の周波数割り当てユーザーアクセスＬＡＮのダウンリンク操作のフローチャートである。
【図３】図３は本発明の周波数割り当てユーザーアクセスＬＡＮのアップリンク操作のフローチャートである。
【図４Ａ】図４Ａは本発明の実施例による高周波ディジタル変調器の回路原理図である。
【図４Ｂ】図４Ｂは本発明実施例の高周波ディジタル復調器の回路原理図である。
【図４Ｃ】図４Ｃは本発明の実施例によるユーザー端末変調器の回路原理図である。
【図５Ａ】図５Ａは本発明の実施例によるアップリンク伝送線路原理図である。
【図５Ｂ】図５Ｂは本発明の実施例によるダウンリンク伝送線路原理図である。
【図６】図６は本発明の実施例によるユーザー端末操作装置の回路原理図である。
【図７】図７は本発明の実施例によるユーザー端末リモートコントロール装置の回路原理図である。
【図１】
2009510849.tif 000006
【図２】
2009510849.tif 000007
【図３】
2009510849.tif 000008
【図４Ａ】
2009510849.tif 000009
【図４Ｂ】
2009510849.tif 000010
【図４Ｃ】
2009510849.tif 000011
【図５Ａ】
2009510849.tif 000012
【図５Ｂ】
2009510849.tif 000013
【図６】
2009510849.tif 000014
【図７】
2009510849.tif 000015
【国際調査報告】
2009510849.tif 000016
2009510849.tif 000017
2009510849.tif 000018
2009510849.tif 000019